(57)【要約】  本開示は、毛切断装置（１０）の切断ヘッド（２０）のブレードセット（２２）用アタッチメントコーム（７０）、特に皮膚保護コーム（７０）に関し、アタッチメントコーム（７０）は、支持フレーム（７２）と、一続きに（８２、８４）に配置されるとともにその上面（１２４）に皮膚接触領域を画定する複数のコーム歯（７４）とを有し、歯（７４）は、支持フレーム（７２）から延びるとともにその前端部に丸い先端部（１１６、１１８）を有し、歯（７４）は、一続き（８２、８４）に沿って不均一であり、一続き（８２、８４）の側方端部を画定する２つの外側側方歯（７６）と、それらの間に配置された中央歯（７８）とを有し、側方歯（７６）において、中央歯（７８）の先端部半径（Ｒｔｃ）より大きい側方歯先端部半径（Ｒｔｌ）が存在する。本開示は、さらに、切断ヘッド（２０）及び毛切断装置（１０）に関する。
2020516394.tif 000002
【特許請求の範囲】
【請求項１】
毛切断装置の切断ヘッドのブレードセットのためのアタッチメントコーム、特に皮膚保護コームであって、前記アタッチメントコームは：
‐  支持フレームと、
‐  一続きに配置されるとともに上面に皮膚接触領域を画定する、複数のコーム歯と、
を有し、
前記歯は、前記支持フレームから延びるとともに前端部に丸い先端部を有し、
前記歯は、前記一続きに沿って不均一であり、丸い側方歯先端部を有する前記一続きのうちの側方端部を画定する２つの外側側方歯と、それらの間に配置された丸い中央歯先端部を有する中央歯と、を有し、
前記側方歯は、前記側方歯を前記一続きの歯の延設方向に垂直な側面から見るときに、前記丸い側方歯先端部の湾曲に対応する側方歯先端部半径を有し、
前記中央歯は、前記中央歯を前記一続きの歯の前記延設方向に垂直な側面から見るときに、前記丸い中央歯先端部の湾曲に対応する中央歯先端部半径を有し、
前記側方歯において、前記中央歯の先端部半径より大きい側方歯先端部半径が存在する、
アタッチメントコーム。
【請求項２】
前記中央歯には、側面視において、前記側方歯先端部半径よりも小さい、均一な中央歯先端部半径が存在する、
請求項１に記載のアタッチメントコーム。
【請求項３】
前記側方歯先端部半径は、１．０ｍｍ〜２．５ｍｍの範囲、好ましくは１．２ｍｍ〜１．８ｍｍの範囲、より好ましくは１．５ｍｍ〜１．８ｍｍの範囲にあり、前記中央歯先端部半径は、０．２５ｍｍ〜０．８ｍｍの範囲、好ましくは０．３５ｍｍ〜０．７ｍｍの範囲にある、
請求項１又は２に記載のアタッチメントコーム。
【請求項４】
垂直方向において、前記側方歯は前記中央歯を越えて前記上面に向かって突出し、前記側方歯先端部は前記中央歯先端部に対して上方にオフセットされる、
請求項１乃至３のいずれか１項に記載のアタッチメントコーム。
【請求項５】
長手方向において、前記側方歯は前記中央歯を越えて突出し、前記側方歯先端部は前記中央歯先端部に対して前方にオフセットされる、
請求項１乃至４のいずれか１項に記載のアタッチメントコーム。
【請求項６】
前記側方歯の長手方向の延設は、前記中央歯の長手方向の延設以上であり、前記側方歯の前記長手方向の延設は、好ましくは、前記中央歯の前記長手方向の延設より０．１ｍｍ〜０．３ｍｍ大きく、より好ましくは前記中央歯の前記長手方向の延設より０．１ｍｍ〜１．５ｍｍ大きい、
請求項１乃至５のいずれか１項に記載のアタッチメントコーム。
【請求項７】
前記側方歯の幅は、前記中央歯の幅よりも大きく、前記側方歯の幅と前記中央歯の幅との間の比は、好ましくは、１．０より大きく１．５の間の範囲、より好ましくは１．２５から１．５の間にある、
請求項１乃至６のいずれか１項に記載のアタッチメントコーム。
【請求項８】
歯スロットが前記一続きの歯の間に形成され、前記歯スロットは、１．５ｍｍ以下、好ましくは１．２ｍｍ以下の幅を有する、
請求項１乃至７のいずれか１項に記載のアタッチメントコーム。
【請求項９】
前記歯は、取り付け状態において前記ブレードセットに面する後面と、前記後面と反対側の前面とを有し、前記皮膚接触領域が形成される前記上面は、前記前面と前記後面とを接続し、前記先端部は、前記前面と前記上面との間の移行部に形成され、前記先端部は、凸であり、前記前面において、凹状湾曲部が前記先端部に隣接する、
請求項１乃至８のいずれか１項に記載のアタッチメントコーム。
【請求項１０】
前記支持フレームは、対向する側方壁を形成し、側方ラグが、前記ブレードセットの静止ブレードの上側側方端部バーと接触するように、前記側方壁から内方に延び、前記アタッチメントコームの底側において、連結バーが、前記側方壁の間に延び、前記歯は、基本的に、前記連結バーから垂直方向に延びる、
請求項１乃至９のいずれか１項に記載のアタッチメントコーム。
【請求項１１】
前記側方壁及び前記側方歯は、前記アタッチメントコームを前記ブレードセットに解放可能に取り付けるために協働するスナップ式取り付け機構を形成する、
請求項１０に記載のアタッチメントコーム。
【請求項１２】
前記アタッチメントコームは、最小化されたオフセット構成で動作可能であり、取り付け状態では、前記アタッチメントコームの前記上面に形成された前記皮膚接触領域は、前記ブレードセットの前記静止ブレードの上面から、好ましくは、０．０ｍｍより大きく０．２ｍｍまでの範囲内のオフセット値だけ、より好ましくは、０．０５ｍｍから０．２ｍｍのオフセット値だけ、上方にオフセットされる、
請求項１乃至１１のいずれか１項に記載のアタッチメントコーム。
【請求項１３】
第１の一続きのコーム歯と、前記第１の一続きのコーム歯とは反対側の第２の一続きのコーム歯とを有し、前記第１の一続きのコーム歯と前記第２の一続きのコーム歯とは、それらの間に前記毛切断装置の前記ブレードセット用の凹部を画定する、
請求項１乃至１２のいずれか１項に記載のアタッチメントコーム。
【請求項１４】
毛切断装置、特に、電動グルーミング装置のための切断ヘッドであって、前記切断ヘッドは：
‐  静止ブレード及び可動ブレードを有するブレードセットであって、前記静止ブレード及び前記可動ブレードは、前記静止ブレード及び前記可動ブレードのそれぞれの歯によって共に画定される少なくとも１つの歯付き前縁部を有し、前記静止ブレード及び前記可動ブレードの前記歯は、基本的に長手方向に延び、前記静止ブレードはさらに、特にその前記歯に、上面を有し、前記上面は、動作しているとき、ユーザの皮膚に面するように配置される、ブレードセットと、
‐  請求項１乃至１３のいずれか１項に記載のアタッチメントコームであって、前記アタッチメントコームは、前記ブレードセットに解放可能に取り付けられる、アタッチメントコームと、
を有する、
切断ヘッド。
【請求項１５】
前記ブレードセットとハウジング部分とを結合する旋回機構をさらに有し、前記アタッチメントコームは、取り付け状態で、前記ハウジング部分に対して前記ブレードセットと共に枢動されるように構成される、
請求項１４に記載の切断ヘッド。
【発明の詳細な説明】
【技術分野】
【０００１】
本開示は、毛切断装置（hair  cutting  appliance）の切断ヘッド（cutting  head）のブレードセット用のアタッチメントコーム（attachment  comb）に関する。より詳細には、限定的な意味で解釈されるべきではないが、本開示は、ボディグルーミング装置（body  grooming  appliance）用の皮膚保護コームに関する。いくつかの実施態様において、本開示は、多目的毛切断装置のためのアタッチメントコームの改良に関する。さらに、本開示は、毛切断装置用の、特にボディグルーミング装置用の切断ヘッド、及びアタッチメントコームを備えるように構成された毛切断装置に関する。
【背景技術】
【０００２】
特許文献１は、電動毛切断装置のブレードセット用の静止ブレードを開示し、ブレードは、第１の壁及び第２の壁を含み、各壁は、第１の表面、第１の表面から離れる方を向く第２の表面、及び複数の横方向に離間した長手方向に延びる突起部を画定する横方向に延びる前縁部を画定し、第１の壁部及び第２の壁部の第１の表面は、少なくともそれらの前縁部において互いに向かい合い、向かい合っている間、第１の壁部及び第２の壁部の前縁部に沿った突起部は、それらの先端部において相互に接続されて、複数の略Ｕ字形の歯を画定し、第１の壁部及び第２の壁部の第１の表面は、それらの間のブレードセットの可動ブレード用の横方向に延びるガイドスロットを画定し、第１の壁部の突起部は、第２の壁部の突起部の平均厚さよりも小さい平均厚さを有する。
【０００３】
切断装置は、当該技術分野において知られている。切断装置は、特に、毛切断装置を含むことがある。より一般的な文脈において、本開示は、パーソナルケア装置、特にグルーミング装置を扱う。グルーミング装置は、限定されるものではないが、毛切断装置、特にトリミング装置、シェービング装置、及び複合（二重目的又は多目的）装置を含む。
【０００４】
毛切断装置は、ヒトの毛、ときには動物の毛を切断するために使用される。毛切断装置は、顔の毛を切るために、特にひげ剃り及び／又はひげトリミングのために使用することができる。さらに、切断装置は、頭髪及び体毛を切る（ひげそりやトリミングを含む）ためにも使用される。
【０００５】
トリミングモードでは、毛切断装置は、典型的には、毛切断装置のブレードセットを皮膚から離間させるように配置された、いわゆるスペーシングコーム（spacing  comb）を備える。スペーシングコームの有効（オフセット）長さに応じて、トリミング操作後の残りの毛の長さが規定されることができる。
【０００６】
本開示の文脈における毛切断装置は、典型的には、処理ヘッド（processing  head）と称されることがある切断ヘッドを有する。切断ヘッドには、ブレードセットが設けられ、ブレードセットは、いわゆる静止ブレードといわゆる可動ブレードとを有する。毛切断装置が作動されるとき、可動ブレードは、静止ブレードに対して動かされ、これは、それぞれの切断エッジ（cutting  edges）が互いに協働して毛をカットすることを含み得る。
【０００７】
従って、本開示の文脈では、静止ブレードは、毛切断装置の駆動ユニットが静止ブレードと協働しないような方法で毛切断装置に取り付けられるように構成される。むしろ、駆動ユニットは、典型的には、可動ブレードに結合され、可動ブレードを静止ブレードに対して可動に設定するように構成される。従って、静止ブレードは、いくつかの実施形態では、毛切断装置のハウジングに固定して取り付けることができる。
【０００８】
しかし、代替実施形態では、静止ブレードは、ピボット（枢動）可能（pivotable）な態様で、毛切断装置のハウジングに配置される。これは、例えば、毛切断装置の切断ヘッドの輪郭追従（contour-following）機能を可能にすることができる。従って、本明細書で使用するとき、静止ブレードという用語は、限定的な意味では解釈されないものとする。さらに、言うまでもなく、毛切断装置そのものが移動すると、静止ブレードも移動する。しかし、静止ブレードは、切断作用を引き起こすように能動的に作動されるように配置されていない。むしろ、可動ブレードが、静止ブレードに対して移動するように配置される。
【０００９】
静止ブレードは、ガードブレードとも呼ばれることがある。典型的には、毛切断装置が毛を切るように操作される場合、静止ブレードは、少なくとも部分的に、可動ブレードとユーザの毛又は皮膚との間に配置される。本明細書で使用されるとき、ユーザという用語は、毛が処理又は切られている個人又は対象を指すものとする。言い換えれば、毛切断装置のユーザ及びオペレータは、必ずしも同一人物ではない。ユーザという用語はまた、理容師又は理容店のクライアントを含んでもよい。
【００１０】
いくつかの態様では、本開示は、トリミング動作及びシェービング動作の両方を可能にする毛切断装置に関する。この文脈では、トリミングのために適切に構成された第１のブレードセットと、シェービングのために適切に構成された第２のブレードセットとを含むデュアル切断構成（dual  cutting  arrangement）を組み込んだ毛切断装置が知られている。例えば、シェービングブレードセットは、可動切断要素と協働する孔あき箔（perforated  foil）を含んでもよい。むしろ、トリミングブレードセットは、互いに協働する歯をそれぞれ備える２つのブレードを含んでもよい。原理的には、シェービングブレードセットの静止部分を形成する孔あき箔は、主として強度上の理由から従来の装置ではかなり厚くなければならないトリミングブレードセットの静止ブレードよりもはるかに薄いことがある。
【００１１】
上記の特許文献１は、静止ブレードに２つの壁を設けることを提案し、一方はユーザの皮膚に面し、他方はユーザから離れる方に面している。２つの壁は互いに接続されており、側面視において、可動カッターブレードのガイドスロットを形成するＵ字形の輪郭を画定している。従って、静止ブレードは二重壁ブレードである。これは、第２の壁が静止ブレードに十分な強度を与えるので、第１の壁をかなり薄く構成することができるという利点を有する。従って、このような構成は、それぞれの歯が静止ブレード及び可動ブレードに設けられ得るので、トリミングに適している。さらに、ブレードセットは、静止ブレードの第１の壁の有効厚さがかなり減少されるので、シェービングに適している。
【００１２】
特許文献２は、コームをトリミング装置に固定するように構成されたベースと、トリミング装置の切断エッジから固定距離を提供するように構成された第１の歯と、毛を切断エッジに対して所定の向きに操作するように構成された第２の歯とを有し、第２の歯が第１の歯の間に配置され、第２の歯は第１の歯より近接した間隔で配置される、ヘアトリミング装置用のコームを開示している。
【００１３】
特許文献３は、ヘアクリッパ用のアタッチメントコームであって、ヘアクリッパを解放可能に係合させるように構成され配置されたベース部と、前記ベース部から延びる複数の歯であって、前記歯の各々は、上周縁端と下周縁端との間に画定されたボディ部と、前記ベース部に隣接した近位端と、ベース部の反対端にある遠位端とを含む、複数の歯とを有し、前記ボディ部は、切断前に前記コーム内に毛を保持するための少なくとも１つの構成（formation）を備え、前記複数の歯は、複数の全歯と複数の中間歯とを含み、前記複数の全歯は、一対の外歯を含み、前記全歯、中間歯及び外歯の各々は、別個の形状を有し、前記中間歯の前記ボディ部の前記本体部は、前記全歯と比較して前記ボディ部の減少した容積を有する、ヘアクリッパ用のアタッチメントコームを開示している。
【００１４】
特許文献４は、一連の歯を有するへクリッパ（hair  clippers）用の毛案内アタッチメントを開示している。このアタッチメントの側歯（lateral  teeth）は、この特許文献に対する図面の図２の上面図から見て、異なる幅を有する。
【００１５】
特許文献５は、アームを有するフレームの形態のヘアクリッパクセサリに取り付けられたコームを開示している。コームは一連の歯を有する。このアタッチメントの側歯は、この特許文献の図２及び図３の上面図から見て、異なる幅を有する。
【００１６】
特許文献６は、湾曲した歯を有するヘアクリッパのためのアタッチメントを開示している。このアタッチメントの側歯は、その終端を自分自身の上に曲げているが、他の歯はそうではない。
【００１７】
さらに、例えば、特許文献７に開示されているように、ヒンジ式又はピボット式に取り付けられたブレードセットを利用する毛切断装置が知られている。換言すれば、ブレードセットは、現在処理されている皮膚輪郭と整列するように、毛切断装置のハウジングに対して旋回することができる。これは、特に手の届きにくい領域において、毛切断装置のシェービング能力を著しく増加させることがある。コームが取り付けられたときにブレードセットの旋回又はピボット能力を維持することが望ましい場合、保持力、作動力、及びコームの直接取り付けから生じ得るさらなる影響が考慮されるべきである。
【００１８】
しかし、幾つかの用途については、アタッチメントコームの幾何学的形状及び全体的なデザインにおいて、特に、切断性能、毛持ち上げ挙動、皮膚保護及び操作の容易さの間の有益なトレードオフを満たすために、依然として改善の余地があることが観察されている。より詳細には、コームの歯が特定の要件に対して最適化されるときはいつでも、コームの性能は、他の特定の要件に関しては、かなり悪化する可能性が高いことが観察されている。
【００１９】
さらに、グルーミング装置は、顔毛及び／又は頭髪の切断だけでなく、全身のグルーミング用途にもしばしば使用されている。これは、敏感な皮膚領域における、例えば、わきの下及び／又はさらには陰部におけるようなグルーミング操作を含むことがある。これらの領域では、皮膚は比較的柔らかく、刺激及び／又はさらには損傷を受けやすい。
【００２０】
アタッチメントコームを設計する際には、基本的に相反する設計基準を満たさなければならない。これには、例えば、快適さ、毛持ち上げ性能／毛操作性能、皮膚ドーミング（skin  doming）、操作速度、スムーズな取扱い、操作力、及び皮膚保護が含まれ得る。さらに、脱毛能力及び破片除去能力が重要な要因である可能性がある。
【００２１】
従って、毛切断装置の改善がの必要性が依然としてある。これは、特に、ユーザの快適性に関連する側面、安全に関連する側面、及び性能に関連する側面を含むことがある。
【先行技術文献】
【特許文献】
【００２２】
【特許文献１】国際公開２０１３／１５０４１２Ａ１号
【特許文献２】米国特許出願公開第２０１１／００６１２４３Ａｌ号
【特許文献３】米国特許出願公開第２００８／０００５９０８Ａ１号
【特許文献４】米国特許第２４８１０９７号
【特許文献５】米国特許第２８８２５９５号
【特許文献６】米国特許第１６２８４２１号
【特許文献７】欧州特許出願公開第２８７５９１５Ａ１号
【発明の概要】
【００２３】
本開示の目的は、毛切断操作のために適切に構成され、毛切断装置のブレードセットに取り付けられるとともにこれから取り外すことができるアタッチメントコームを提供することである。より具体的には、皮膚保護コームとして作動可能であり、特にかなり敏感な皮膚領域において、ボディグルーミング処置を容易にするアタッチメントコームを提供することが望ましい。
【００２４】
好ましくは、アタッチメントコームは、快適性、安全性、速度、及び操作努力のような設計基準の間の有益なトレードオフを提供するように設計される。所定のレベルの快適さと安全性を維持しつつ、トリミング／シェービング速度を最適化し、改善された毛髪切断性能を可能にするように設計されたアタッチメントコームを提示することが望ましい。
【００２５】
好ましくは、本開示は、上述したように、既知の毛切断装置及びアタッチメントコームに固有の少なくともいくつかの欠点に対処する。更に好ましくは、アタッチメントコーム、特に全身グルーミング用途のための皮膚保護コームを備えるように構成された、毛切断装置及び毛切断装置のための切断ヘッドを提供する。
【００２６】
本開示のさらなる目的は、性能及び安全性並びに快適性を考慮しつつ、バランスのとれた動作を確実にするアタッチメントコームの歯のための適切なパラメータのセットを提供することである。
【００２７】
本開示の第１の態様において、毛切断装置の切断ヘッドのブレードセットのためのアタッチメントコーム、特に皮膚保護コームを開示し、アタッチメントコームは：
‐  支持フレームと、
‐  一続きに配置され（arranged  in  a  series）るとともに上面に皮膚接触領域を画定する、複数のコーム歯（comb  teeth）と、
を有し、
歯は、支持フレームから延びるとともにその前端部（frontal  ends）に丸い先端部（rounded  tips）を有し、
歯は、一続きに沿って不均一であり、丸い側方歯先端部（rounded  lateral  tooth  tips）を有する一続きの側方端部（lateral  ends）を画定する２つの外側側方歯（outer  lateral  teeth）と、それらの間に配置された丸い中央歯先端部（rounded  central  teeth  tips）を有する中央歯と、を有し、
側方歯は、側方歯を一続きの歯の延設方向（extension  direction）に垂直な側面から見るときに、丸い側方歯先端部の湾曲に対応する側方歯先端部半径Ｒｔｌを有し、
中央歯は、中央歯を一続きの歯の延設方向に垂直な側面から見るときに、丸い中央歯先端部の湾曲に対応する中央歯先端部半径Ｒｔｃを有し、
側方歯において、中央歯の先端部半径Ｒｔｃより大きい側方歯先端部半径Ｒｔｌが存在する。
【００２８】
本開示の別のより一般的な態様では、毛切断装置の切断ヘッドのブレードセット用のアタッチメントコーム、特に、皮膚保護コームが提供され、アタッチメントコームは：
‐  支持フレームと、
‐  一続きに配置され、上側に皮膚接触領域を規定する複数のコーム歯と、
を有し、
歯は、支持フレームから延びるとともにその前端部に丸い先端部を有し、
歯は、一続きに沿って不均一であり、一続きの側方端部を画定する２つの外側側方歯と、その間に配置された中央歯とを有し、
側方歯において、中央歯の先端部半径Ｒｔｃより大きい側方歯先端部半径Ｒｔｌが存在する。
【００２９】
本開示の主な態様は、特に全身グルーミング用途について、不均一な構成の歯を含むアタッチメントコームが提供されるとき、安全性及び性能が改善され得るという洞察である。より詳細には、一続きの歯の側方端部を画定する側方歯と、その間に介在する中央歯とが、異なる形状を有する。したがって、少なくとも２つの異なる歯のタイプが存在する。側方歯の先端部半径が中央歯の先端部半径より著しく大きいとき、著しい改善が達成されることが観察されている。本明細書で使用されるとき、歯の先端部半径は、アタッチメントコームの側面／側方視における外縁として見ることができるが、歯のそれぞれの主伸長方向／面は、側方視平面（side  view  plane）に平行である。
【００３０】
言い換えれば、本発明によるアタッチメントコームにおいて、歯は、一続きに沿って不均一であり、丸い側方歯先端部を有する一続きの側方端部を画定する２つの外側側方歯と、その間に配置された丸い中央歯先端部を有する中央歯とを有する。側方歯は、側方歯を一続きのコーム歯の延設方向に垂直な側面で見るときに、丸い側方歯先端部の湾曲に対応する側方歯先端部半径（Ｒｔｌ）を有する。中央歯は、中央歯を一続きのコーム歯の延設方向に垂直な側面で見るとき、丸い中央歯先端部の湾曲に対応する中央歯先端部半径（Ｒｔｃ）を有する。外方歯先端部半径Ｒｔｌは、中央歯の先端部半径Ｒｔｃよりも大きい。
【００３１】
概して、アタッチメントコームの歯は、アタッチメントコームが装着されているとき、装置のブレードセットの歯の「延長」とみなすことができる。アタッチメントコーム歯は、ブレードセットによって処理される毛を調整する（condition）ことができる。従って、アタッチメントコームは、ブレードセットの切断エッジが調整された毛に到達したときに毛が適切な切断方向になるように、ブレードセットの前で毛を持ち上げるように構成されることができる。
【００３２】
概して、アタッチメントコームは、スペーシング機能、すなわち、それぞれのトリミング長をもたらす皮膚のレベルとブレードセットとの間のオフセットを画定すること、を含み得る。しかし、アタッチメントコームは、シェービング操作のために構成されることもでき、コームの主な目的は、ブレードセットと皮膚のレベルとの間の間隔を提供することではなく、シェービング操作の性能、快適さ及び安全性を改善することである。これは、例えば、陰部及び／又は腋の下における、穏やかで滑らかなボディグルーミング／シェービング用途に有益であり得る。
【００３３】
ヒト／動物の体の上には、例えば、頭皮、顔面、身体四肢、腋の下、陰部領域などに異なるタイプの毛が存在する。従って、切断操作の直前に毛をセットアップするためのシェービング用又は低いレベルのトリミング用途でさえも、アタッチメントコームを提供することが有益であり得る。この方法では、１つの同一のブレードセットが、異なる身体領域、例えば、顔、四肢、胸部及び／又は背部、さらには陰部領域においてさえ、シェービング用途のために作動可能であり得る。
【００３４】
コーム歯に異なる形状の先端部半径を設けることは、操作力／移動力及び皮膚の安全性にプラスの効果をもたらす。これは、特に、側方歯の先端部半径が中央歯の先端部半径よりも大きい場合に当てはまる。
【００３５】
いくつかの点では、側方歯の先端部は、中央歯の先端部から外方にオフセットされる、すなわち、上部及び前部への垂直方向及び長手方向にオフセットされる。従って、アタッチメントコームを備えたブレードセットが皮膚に沿って動かされるとき、処理されることになる皮膚領域は、まず、側方歯の先端部によって、続いて、その間に配置された中央歯の先端部によって接触される。従って、側方歯は、中央歯の先端に対して接触力が低減される効果を有するアタッチメントコームに対する側方サポートを形成する。
【００３６】
その結果、側方歯の先端部よりも小さい先端部半径を有する先端部を備えるにもかかわらず、中央歯は、主サポートが側方歯の先端部によって提供されるので、皮膚に深く浸らない。その結果、皮膚の快適性と安全性を維持しながら、毛の持ち上げ、処理速度、及び必要な操作力を改善することができる。
【００３７】
アタッチメントコームの例示的な実施形態では、中央歯には、側面視において、側方歯先端部半径Ｒｔｌよりも小さい、均一な中央歯先端部半径Ｒｔｃが存在する。すなわち、側方歯は、それらの接触面が増加するため、それらがより大きな荷重を受けることができるので、歯を支持するように作用し得る。その結果、中央歯は、いくらかの点で解放され、皮膚に浸透しにくくなることを伴う。
【００３８】
アタッチメントコームのさらなる例示的な実施形態では、側方歯先端部半径Ｒｔｌは、１．０ｍｍ〜２．５ｍｍ（ミリメートル）の範囲、好ましくは１．２ｍｍ〜１．８ｍｍの範囲、より好ましくは少なくとも１．５ｍｍにあり、中央歯先端部半径Ｒｔｃは、０．２５ｍｍ〜０．８ｍｍの範囲、好ましくは０．３５ｍｍ〜０．７ｍｍの範囲にある。上記の値及び範囲は、特に横から見るときにあてはまる。側方歯の先端部をやや鈍く形成し、中央歯の先端部をより尖って形成することにより、全体的な切断性能を改善する。特定の実施態様では、側方歯先端部半径Ｒｔｌは、中央歯先端部半径Ｒｔｃよりもわずかに大きいだけである。
【００３９】
概して、いくつかの実施態様では、側方歯先端部半径Ｒｔｌは、全ての側方歯に対して同一であり、中央歯先端部半径Ｒｔｃは、全ての中央歯に対して同一である。
【００４０】
アタッチメントコームのさらに別の例示的な実施形態では、垂直方向において、側方歯は中央歯を越えて突出する。従って、垂直方向にも、側方歯と中央歯との間にオフセットが存在し得る。
【００４１】
アタッチメントコームのさらなる例示的な実施形態では、垂直方向において、側方歯は中央歯を越えて上面に向かって突出し、側方歯先端部は中央歯先端部に対して上方にオフセットされる。垂直方向の側方歯先端部と中央歯先端部との間のオフセットｏｔｏｐは、０．７ｍｍ〜１．２ｍｍ、好ましくは約０．９ｍｍであり得る。
【００４２】
別の例示的な実施形態では、長手方向において、側方歯は中央歯を越えて突出し、側方歯先端部は中央歯先端部に対して前方にオフセットされる。長手方向のオフセットｏｌｔは、長手方向の０．１ｍｍ〜１．５ｍｍ、好ましくは０．１ｍｍ〜０．３ｍｍの範囲、より好ましくは約０．２ｍｍであり得る。
【００４３】
言い換えると、側方歯の長手方向の延設ｌｔｌは、中央歯の長手方向の延設ｌｔｃ以上であり、側方歯の長手方向の延設ｌｔｌは、好ましくは、中央歯の長手方向の延設ｌｔｃよりも０．１ｍｍ〜１．５ｍｍ、より好ましくは０．１ｍｍ〜０．３ｍｍの間で大きい。
【００４４】
少なくともいくつかの例示的な実施形態によれば、側方歯の外形は、水平方向及び垂直方向の両方で中央歯の外形からオフセットされている（ずれている）。側方歯は、水平方向と垂直方向の両方で中央歯を越えて突出している。
【００４５】
アタッチメントコームのさらに別の例示的な実施形態では、側方歯の幅ｗｔｌは、中央歯の幅ｗｔｃよりも大きい。いくつかの実施態様において、側方歯の幅ｗｔｌと中央歯の幅ｗｔｃとの間の比は、１．２５から１．５の間である。より一般的には、さらなる実施形態では、側方歯の幅ｗｔｌと中央歯の幅ｗｔｃの間の比は、１．０（特に、１．０より大きい、又は＞１．０）から１．５の間の範囲内にある。従って、特定の実施形態では、側方歯の幅ｗｔｌ及び幅ｗｔｃは、基本的に同一であるか、少なくともかなり類似している。
【００４６】
概して、幅という用語は、中央歯及び側方歯の側方の延設に対応する。換言すれば、歯の幅は、それぞれの厚さに対応する。便宜上、例えば、抜けこう配（draft  angles）のために、幅は、歯の縦方向及び／又は垂直方向の延長にわたって必ずしも一定ではないので、上述の表現は、歯の平均幅を表し得る。
【００４７】
いくつかの実施態様において、一般的な設計ルールに反映される、側方歯及び中央歯の先端部半径の比と幅の比との間の関係が存在する。基本的に、側方歯の先端部半径が中央歯の先端部半径に近づくにつれて、側方歯の幅と中央歯の幅との間の比（差）を増加させることが有益であり得る。逆に、側方歯の幅が中央歯の幅に近づくとき、中央歯先端部半径に対して側方歯先端部半径を増加させることが有益であり得る。
【００４８】
アタッチメントコームのさらに別の例示的な実施形態では、歯スロットが一続きの歯の間に形成され、歯スロットは、１．５ｍｍ以下、好ましくは１．２ｍｍ以下の幅ｗｔｓを有する。歯スロットの均一な幅は、一続きの歯の全てのコーム歯に当てはまり得る、すなわち、側方歯と中央歯との間の外側側方歯スロットの幅も含む。しかし、これは、異なる歯のタイプにおける異なるサイズの歯スロットを実施する代替実施形態を除外しない。概して、歯スロットの幅は、歯間隔とも呼ばれ得る。
【００４９】
アタッチメントコームの別の例示的な構成では、歯は、取り付け状態においてブレードセットに対向する後面と、後面と反対側の前面とを有し、皮膚接触領域が形成される上面は、前面と後面とを接続し、先端部は、前面と上面との間の移行部に形成され、先端部は、凸であり、前面において、凹状湾曲部が先端部に隣接する。上記は、特に側面視に当てはまる。換言すれば、歯の前方外側エッジは、側面図においてＳ字形であり得る。歯の上側は、概して直線状又は平面状であり得る。
【００５０】
アタッチメントコームの別の例示的な実施形態では、支持フレームは、対向する側方壁を形成し、側方方ラグが、ブレードセットの静止ブレードの上側側方端部バーと接触するように、側方壁から内方に延び、アタッチメントコームの底側において、連結バーが、側方壁の間に延び、歯は、基本的に、連結バーから垂直方向に延びる。換言すれば、連結バーは、歯がそこからその上端部まで延びるアタッチメントコームの底端部を形成する。さらに、側方壁の対向する端部をそれぞれ接続する２つの対向する連結バーが存在し得る。従って、この実施形態による２つの連結バーは、長手方向に互いに離間されている。
【００５１】
アタッチメントコームのさらに別の例示的な実施形態では、側方壁及び側方歯は、アタッチメントコームをブレードセットに取り外し可能に取り付けるために協働するスナップ式取り付け機構（snap-on  mounting  features）を形成する。換言すれば、側方壁及び側方歯は、ブレードセットのために、特にその静止ブレードのために、上部当接ゾーン及び底部当接ゾーンを一緒に形成し得る。側方壁及び側方歯のいずれも、ブレードセットの挿入を可能にするために少なくともわずかに撓み可能（deflectable）であり得る。換言すれば、スナップ式取り付け機構のために、アタッチメントコームはブレードセットに嵌合し得る。
【００５２】
上記の例示的な実施形態によれば、アタッチメントコームは、ピボット可能に支持されたブレードセットに取り付けられるように構成され得る。従って、アタッチメントコームを毛切断装置のハウジングに直接取り付ける必要はない。その結果、毛切断装置の輪郭追従機構を維持し得る。これは、毛切断性能をさらに改善し得る。
【００５３】
さらに別の例示的な実施形態では、アタッチメントコームは、最小化されたオフセット構成で動作可能であり、取り付け状態では、アタッチメントコームの上面に形成された皮膚接触領域は、ブレードセットの静止ブレードの上面から上方にオフセットされる。好ましくは、オフセット値ｏｃは、かなり小さく、０．０５ｍｍ〜０．２ｍｍの範囲である。静止ブレード上面とアタッチメントコームの皮膚接触領域との間のわずかなオフセットは、皮膚保護及び全体的な操作の安全性を改善する。上記の実施形態は、アタッチメントコームが動作状態でブレードセットに取り付けられるときに実施され得る。上記は、オフセット値ｏｃが基本的にゼロ（〜０．０ｍｍ）である、すなわち、明確ではない又は僅かなオフセットしか存在しない実施形態を除外しない。従って、より一般的な文脈では、オフセット値ｏｃは、０．０ｍｍ（より具体的には、少なくとも０．０ｍｍよりわずかに大きい、又は＞０．０ｍｍ）から０．４ｍｍの範囲にある。
【００５４】
さらに、アタッチメントコームがスペーシングコームとして配置される場合、オフセット値ｏｃは、はるかに大きくなり得、例えば、１．３ｍｍ、３．０ｍｍ、６．０ｍｍ、９．０ｍｍなど、その結果、トリミング目的のための皮膚とブレードセットとの間のそれぞれのオフセットが生じる。
【００５５】
別の例示的な実施形態では、アタッチメントコームは、第１の一続きのコーム歯と、第１の一続きのコーム歯とは反対側の第２の一続きのコーム歯とを有し、第１の一続きのコーム歯と第２の一続きのコーム歯とは、それらの間に毛切断装置のブレードセット用の凹部を画定する。凹部はまた、ブレードセット用のシート又はウィンドウとも称され得る。アタッチメントコームの取り付け状態では、ブレードセットは凹部に収容される。第１の一続きの歯及び第２の一続きの歯は、凹部内のブレードセットの長手方向の位置を規定し得る。アタッチメントコームの側方壁は、ブレードセットの側方位置を規定し得る。側方壁及び側方歯の取り付け機構は、凹部内のブレードセットの垂直位置を規定し得る。
【００５６】
本開示のさらなる態様では、毛切断装置、特に、電動グルーミング装置のための切断ヘッドが提供され、切断ヘッドは：
‐  静止ブレード及び可動ブレードを有するブレードセットであって、静止ブレード及び可動ブレードは、静止ブレード及び可動ブレードのそれぞれの歯によって共に画定される少なくとも１つの歯付き前縁部を有し、静止ブレード及び可動ブレードの歯は、基本的に長手方向に延び、静止ブレードはさらに、特にその歯に、上面を有し、上面は、動作しているとき、ユーザの皮膚に面するように配置される、ブレードセットと、
‐  本明細書に記載の少なくとも１つの実施形態によるアタッチメントコームであって、アタッチメントコームは、ブレードセットに解放可能に取り付けられる、アタッチメントコームと、
を有する。
【００５７】
例示的な実施形態では、切断ヘッドはさらに、ブレードセットとハウジング部分とを結合する旋回機構を有し、アタッチメントコームは、取り付け状態で、ハウジング部分に対してブレードセットと共に枢動される（pivoted）ように構成される。従って、アタッチメントコームが取り付けられているときでも、切断ヘッドの輪郭追従機能を維持することができる。
【００５８】
本開示のさらに別の態様では、毛切断装置、特にグルーミング装置が提供され、装置は、ハウジングと、ハウジングの上端に配置された切断ヘッドであって、切断ヘッドには、静止ブレード及び可動ブレードを有するブレードセットが設けられる、切断ヘッドと、本明細書に記載される少なくとも１つの実施形態によるアタッチメントコームと、を有し、アタッチメントコームは、ブレードセットに取り外し可能に取り付けられるように構成される。
【００５９】
本開示のさらに別の態様では、毛切断装置、特に電動ボディグルーミング装置が提供され、毛切断装置は、毛を切るために移動方向に毛を通って移動するように構成され、毛切断装置は、ブレードセット、特にピボット可能に取り付けられたブレードセット、及び本開示の少なくともいくつかの態様によるアタッチメントコームを有する。
【００６０】
本開示のさらに別の態様では、特に、歯の設計及び特徴に関して、本開示の少なくとも１つの態様に従って、構成され、異なる長さでシェービング／トリミング操作を可能にするように、ブレードセットと処理されることになる皮膚表面との間に明確に規定された向き及び／又は相対的位置を提供する、アタッチメントコームのセットが提供される。
【図面の簡単な説明】
【００６１】
本開示のこれら及び他の態様は、以下に記載する実施形態から明らかになり、以下に記載する実施形態を参照して説明される。
【００６２】
【図１】本開示によるアタッチメントコームの例示的な実施形態を備え得る例示的な毛切断装置の概略斜視図を示す。
【図２】毛切断装置のための切断ヘッド用ブレードセットの斜視上面図である。
【図３】毛切断装置の切断ヘッド及びこれに取り付けることができるアタッチメントコームの部分斜視上面図を示し、アタッチメントコームは分離状態で示されている。
【図４】アタッチメントコームの取り付け状態における図３の構成の別の図である。
【図５】図３及び図４に示すアタッチメントコームの底面斜視図である。
【図６】図７の線ＶＩ‐ＶＩに沿ったブレードセットに取り付けられた状態におけるアタッチメントコームの断面正面図である。
【図７】図６の構成の上面図である。
【図８】分離したアタッチメントコームの正面図である。
【図９】図８のアタッチメントコームの上面図である。
【図１０】図９の線Ｘ‐Ｘに沿った断面側面図である。
【図１１】図９の線ＸＩ‐ＸＩに沿った断面側面図である。
【図１２】図９の線ＸＩＩ‐ＸＩＩに沿った断面側面図である。
【発明を実施するための形態】
【００６３】
図１は、簡略化された斜視図において、毛切断装置１０、特に電動毛切断装置の例示的実施形態を概略的に示す。毛切断装置１０は、ハウジング、より詳細には、ハウジング部分１２、ハウジング部分１２内の破線ブロック１４によって示されるモータ、ハウジング部分１２内の破線ブロック１６によって示される駆動機構又はドライブトレーンを有し得る。モータ１４に電力を供給するために、少なくとも毛切断装置１０のいくつかの実施形態では、ハウジング部分１２の破線ブロック１８によって示される、例えば、再充電可能バッテリ、交換可能バッテリ等のような電気バッテリを設けることができる。しかし、いくつかの実施形態では、切断装置１０は、電源を接続するための電力ケーブルをさらに備えることができる。電源コネクタは、（内部の）電気バッテリ１８に加えて、又はその代わりに設けることができる。
【００６４】
毛切断装置１０は、切断ヘッド２０をさらに有し得る。切断ヘッド２０において、ブレードセット２２が毛切断装置１０に取り付けられ得る。ブレードセット２２は、切断動作を可能にするために、駆動機構又はドライブトレーン１６を介してモータ１４によって駆動され得る。図２は、図１に示す毛切断装置１０に組み込むことができるブレードセット２２の斜視上面図を示す。切断動作は、概して、静止ブレードと可動ブレード（カッターブレード）との間の相対動作とみなすことができ、これについては、以下にさらに説明し、論じられる。したがって、静止ブレード（ガードブレード）及び可動ブレード（カッターブレード）という用語は、限定的な意味で解釈してはならない。
【００６５】
一般に、ユーザは、毛を切るために、切断装置１０を把持し、保持し、移動方向３０に毛を通って手動で案内し得る。切断装置１０は、手動案内又は手動操作の電気駆動装置と見なすことができる。さらに、切断ヘッド２０、より詳細には、ブレードセット２２は、図１の符号２８で示す湾曲した二重矢印を参照してピボット可能な方法で切断装置１０のハウジング部分１２に接続されることができる。用途によっては、切断装置１０を皮膚に沿って動かして、皮膚で成長する毛を切ることができる。皮膚に近いところで毛を切る場合には、基本的には皮膚のレベル（高さ）で毛を切る又は切り刻んだりすることを目的として、シェービング操作を行うことができる。しかし、クリッピング（又はトリミング）操作も想定され得、ブレードセット２２を有する切断ヘッド２０が、皮膚に対して所望の距離で経路に沿って通される。
【００６６】
毛を通して案内されるとき、ブレードセット２２を含む切断装置１０は、典型的には、図１の参照番号３０によって示される普通の移動方向に沿って移動される。この関連では、毛切断装置１０が典型的には手動で案内され、移動されることを考えると、移動方向３０は、必ずしも、毛切断装置１０とその切断ヘッド２０の向きに関して固定された定義と関係を有する正確な幾何学的基準として解釈される必要はないことを指摘する価値がある。即ち、皮膚における切断されることになる毛に対する毛切断装置１０の全体的な向きは、いくぶん不安定であると解釈することができる。しかし、例示的な目的のために、（想像上の）移動方向３０は、毛切断装置１０の構造的特徴を記述する手段として、以下で機能し得る座標系の主中心平面に対して平行（又は略平行）であると、かなり仮定することができる。Ｘ軸とＹ軸は水平面を定義する。
【００６７】
本明細書に示されるいくつかの図において、例示的な座標系は、説明目的のために示される。本明細書で使用されるとき、Ｘ軸は、長手方向に割り当てられる。さらに、Ｙ軸が横方向に割り当てられる。従って、Ｚ軸は、垂直方向（高さ方向）に割り当てられる。図示された構成要素のそれぞれの特徴及び伸長部分との軸／方向Ｘ、Ｙ、Ｚのそれぞれの関連は、これらの図から導くことができる。Ｘ軸とＹ軸は、水平面を共に定義する。座標系Ｘ、Ｙ、Ｚは、主として説明目的のために提供されるものであり、本開示の範囲を限定することを意図するものではないことを理解されたい。これは、当業者が、さらなる実施形態、図示及び表示方向のずれに直面したときに、座標系を容易に変える及び変換することができることを含む。また、デカルト座標系の極座標系への変換が、特に円形又は湾曲したブレードセットの文脈において、想定され得る。
【００６８】
図２により詳細に示すブレードセット２２は、静止ブレード２４と、往復運動で静止ブレード２４に対して動くことができる可動ブレード２６とを有する。静止ブレード２４及び可動ブレード２６は、少なくとも１つの歯付き前縁部３２、３４、好ましくは第１の歯付き前縁部３２及び第２の歯付き前縁部３４を共に画定し得る。第１の歯付き前縁部３２と第２の歯付き前縁部３４は、平行な方法で、互いに向き合って配置されている。可動ブレード２６は、破線表示で図２に示されている。可動ブレード２６は、駆動軸５０によって往復式に駆動されることができる。従って、可動ブレード２６及び静止ブレード２４は、互いに対して往復運動することができ、従って、毛切断装置１０が移動方向３０に毛を通して移動するとき、静止ブレード２４の歯３８と可動ブレード２６の歯４０との間に入る毛を、それぞれの前縁部３２、３４において切断するように協働することができる。駆動軸５０には、駆動ピン６０が中心からずれた形で形成されている。
従って、駆動軸５０が回転するとき、駆動ピン６０は、駆動軸周りに回転し、駆動ブリッジ６８によって可動ブレード２６に結合されたエントレーナユニット（entrainer  unit）６６を作動させる（図６に示す）。
【００６９】
図２では、装置１０が動作しているときにユーザの皮膚に面している静止ブレード２４の上面を３６で示す。いくつかの実施態様において、上面３６は、Ｘ軸及びＹ軸によって画定される水平面に平行である。
【００７０】
静止ブレード２４は、可動ブレード２６のためのガードとして配置され得る。静止ブレード２４は、可動ブレード２６のためのガイドスロットがその間に画定されるように、少なくとも部分的に互いに離間された第１の壁部分と第２の壁部分とを有することが特に好ましく、図６のブレードセット２２の断面図も参照することができる。その結果、静止ブレード２４は、少なくとも１つの歯付き前縁部３２、３４において可動ブレード２６を覆うこともできる。
【００７１】
すでに上述したように、ブレードセット２２は、シェービング及びトリミング動作に特に適している。ブレードセット２２が実際の皮膚輪郭に追従することができる場合、シェービング性能及びトリミング性能はさらに改善され得る。従って、ブレードセット２２は、ピボット可能な方法で、毛切断装置１０のハウジング部分１２に取り付け可能であることが特に好ましい。旋回（スイベル）機構（swiveling  mechanism）が、参照番号４２によって図２に示されている。ブレードセット２２は、旋回機構４２に取り付けられている。旋回機構４２は、ブレードセット２２とハウジング部分１２との間に介在する切断ヘッド２０の一部を形成することができる。旋回機構４２は、図１及び図２の湾曲した二重矢印２８を参照して、ブレードセット２２のためのピボット、又はむしろ仮想ピボットを画定することができる。
【００７２】
ハウジング部分１２に対するブレードセット２２の最大旋回角を画定するために、旋回機構４２は、接触面４６と協働して旋回運動の許容範囲を画定することができるリミットストップ（limit  stop）４４を有し得る。例として、旋回機構４２は、４バーリンク機構として構成され得る。この実施形態では、旋回機構４２は、ハウジング部分１２に取り付けられ得るベースリンク５２を有する。第１の側部リンク５４及び第２の側部リンク５６は、ベースリンク５２に結合され得る。上端において、旋回機構４２は、第１の側部リンク５４と第２の側部リンク５６とを接続する上部リンク５８を有し得る。それぞれのリンク５２、５４、５６、５８の間には、隣接するリンクの間の相対的な回転、したがって、全体の旋回運動を可能にするヒンジ、特にリビングヒンジ（living  hinges）が設けられ得る。
【００７３】
一般に、少なくとも一部の実施形態では、切断ヘッド２０は、交換可能な及び／又は取り外し可能な切断ヘッドとみなすことができる。この目的のために、切断ヘッド２０は、毛切断装置１０のハウジング部分１２においてそれぞれの受けインターフェースに係合するように構成された取り付けインターフェース４８を有し得る。特に、切断ヘッド２０は、プラグイン切断ヘッド２０として構成され得る。すでに上述したように、ブレードセット２２、特にその可動ブレード２６は、駆動軸５０に結合され得る。駆動軸５０は、駆動軸５０の長手方向軸の周りに回転することができる偏心部分（ピン６０）を有し得る。従って、可動ブレード２６を静止ブレード２４に対して往復動する方法で駆動するための偏心駆動機構１６が設けられ得る。
【００７４】
ブレードセット２２の側方（横方向）端部には、いわゆるサイドプロテクタ、即ち側方端部バー６２、６４が形成されている。図２に示す例示的な実施形態では、側方端部バー６２、６４は静止ブレード２４に成形される。
【００７５】
図２に例示的に示すように旋回機構４２に取り付けられるか又は旋回機構の別の例示的実施形態に取り付けられると、切断ヘッド２０は、シェービング動作に特に適している。しかし、毛切断装置１０は、ヘアトリミング操作にも適していることがさらに好ましい。毛トリミングは、所望の長さで毛を切断することを含み得る。毛の所望の残りの長さは、いわゆるアタッチメントコームによって規定され得る。アタッチメントコームを毛切断装置１０に取り付けるとき、ブレードセット２２は好ましくはハウジング部分１２に旋回自在に取り付けられると考える必要がある。本明細書で論じられる少なくともいくつかの実施形態では、アタッチメントコームがブレードセット２２に取り付けられるときに、輪郭追従機能がコームモードでも提供されることが好ましい。
【００７６】
以下では、ブレードセット２２用アタッチメントコームの例示的な実施形態が明らかにされ、より詳細に説明される。言うまでもなく、各実施形態に関連して開示された単一の特徴は、分離された態様で、他の実施形態のいずれかと組み合わせてもよく、それによって、本開示の範囲に依然として含まれるさらなる実施形態を形成する。一般に、アタッチメントコームは、皮膚保護コームと称され得る。いくつかの実施態様において、アタッチメントコームは、スペーシング（spacing）アタッチメントコームとして構成される。しかし、いくつかの実施形態では、アタッチメントコームは、ブレードセットを皮膚から離間させない又はブレードセットをわずかにしか離間させない。この例示的な構成では、アタッチメントコームの主要な目的は、毛コンディショニング／持ち上げ及び皮膚保護である。
【００７７】
図３には、図１及び図２に関連して既に説明したように、毛切断装置１０の切断ヘッド２０から切り離された状態のアタッチメントコーム７０が示されている。コーム７０は、皮膚保護コームとも呼ばれ得る。
【００７８】
コーム７０は、以下により詳細に説明するように、ブレードセット２２に解放可能に取り付けられるように構成される。コーム７０は、コーム歯７４がそこから延びる支持フレーム７２を有する。コームの取り付け状態では、コーム歯７４は静止ブレード２４の歯３８に平行に向けられる。コーム歯の不均一な構成を有することが好ましい。つまり、異なる形状のコーム歯７４が設けられ得る。コーム歯７４は、側方歯７６（外歯）及び中央歯７８を含む。図３に示される例示的な実施形態では、コーム７０のそれぞれの外側端部において、側方歯７６が設けられる。側方歯７６の間には、中央歯７８が形成される。全体として、側方歯７６及び中央歯７８は、少なくとも１つの一続きの歯８２、８４を形成する。図３の例示的な実施形態では、互いに反対側にある第１の一続き（series）８２及び第２の一続き８４が設けられる。第１の一続き８２と第２の一続き８４は、ブレードセット２２のためのウィンドウ又は凹部８８をそれらの間に画定する。
【００７９】
コーム７０の支持フレーム７２は、第１の側方壁９０及び第２の側方壁９２を有する。連結バー９４が、第１の一続き８２の側部において、側方壁９０と側方壁９２とを接続する。連結バー９６が、第２の一続き８４の側部において、側方壁９０と側方壁９２とを接続する。
【００８０】
側方壁９０、９２は、支持フレーム７２の側方端部を画定する。連結バー９４、９６は支持フレーム７２の長手方向端部を画定する。側方壁９０、９２及び連結バー９４、９６は合わせて、コーム７０の四面フレームを画定する。連結バー９４、９６は、コーム７０の底端に配置されている。コーム７０の上方端部において、側方ラグ９８、１００が、側方壁９０、９２から延びる。側方ラグ９８、１００は、内側に延び、互いに対向する。
【００８１】
図４及び図５の斜視図をさらに参照する。図４の視点方向は、図３の視点方向と同様であるが、図４では、コーム７０が取り付け状態で示されている。図５では、コーム７０の斜視底面図が提供される。図４に示すように、取り付け状態では、側方ラグ９８、１００は、ブレードセット２２の側方端部において側方端部バー６２、６４をカバーし、保持する。
【００８２】
さらに、図５に見ることができるように、側方壁９０、９２には、取り付け状態においてブレードセット２２の側方位置（Ｙ位置）を規定する、内側ガイドリブ１０４が形成される。図５の例示的な構成では、ガイドリブ１０４は、生産／成形の理由のために垂直方向に延びる。
【００８３】
側方歯７６には、ブレードセット２２の静止ブレード２４のための取り付け面１０６が、その後方上部側に形成され、図３及び図５を参照されたい。側方ラグ９８、１００において、取り付け面１０８が、側方歯７６における取り付け面１０６に対向して形成され、図５を参照されたい。取り付け面１０６、１０８は、それらの間でブレードセット２２の静止ブレード２４を保持し、固定するように協働する。従って、側方歯７６と側方ラグ９８、１００は、ブレードセット２２におけるコーム７０の取り付けのためのスナップ式取り付け／ロック機構を一緒に形成する。図３乃至図５の例示的な実施形態では、静止ブレード２４が側方歯７６の後方側で取り付けランプ１１０を通過できるように、側方歯７６は撓み可能（deflectable）であり、図６も参照されたい。従って、アタッチメントコーム７０は、取り付けが容易であり且つ取り外しが容易である。
【００８４】
側方歯７６において、先端部１１６が形成される。中央歯７８において、先端部１１８が形成される。歯７６、７８の先端部１１６、１１８は、コーム７０が皮膚に沿って、毛を切断するのに適した向きで移動方向に移動するときに、皮膚係合ゾーンを形成する。歯７６、７８の間には、歯スロット（溝）１２０が存在する。
【００８５】
さらに、図６〜図１２を参照すると、図６及び図７は、取り付けられた状態でのコーム７０を示し、図８、９、１０、１１及び１２のいずれかは、分離された状態でのコーム７０を示す。
【００８６】
図８を参照すると、側方歯７６の幅がｗｔｌで示されている。中央歯７８の幅はｗｔｃで示されている。さらに、歯スロット１２０の幅が、ｗｔｓで示されている。組み立てられた状態では、側方ラグ９８、１００は、ブレードセット２２のための垂直リミットストップを画定する。より具体的には、ブレードセット２２の静止ブレード２４は、本明細書中で前述したように、側方ラグ９８、１００及び側方歯７６における取り付け面１０６、１０８の間で（Ｚ位置に）ロックされる。
【００８７】
図６では、取り付け状態のコーム７０の上面が１２４で示されている。上面１２４において、コーム７０は皮膚に面し、皮膚と接触する。特定の例示的な実施形態では、中央歯７８は、静止ブレード２４の上面３６をわずかに越えて垂直方向Ｚに突出する。上面３６と上面１２４は必ずしも一致しない。それぞれのオフセットが図６にｏｃで示されている。静止ブレード２４の上面３６からのオフセットｏｃは、コンポジット７０がブレードセット２２に取り付けられているときに、必ずしも上面３６でない主にコーム７０の上面１２４が皮膚に接触することを確実にする。上面１２４と反対側のコーム７０の底面が、図８において１２６によって示されている。さらに、図８では、中央歯７８の皮膚接触領域が１２８によって示されている。側方歯７６の皮膚接触領域は、１４０によって示されている。
【００８８】
図６及び図８に示すように、側方歯７６は、中央歯７８を越えて垂直方向Ｚに突出している。各オフセットは、図６及び図８において、ｏｔｏｐによって示されている。皮膚接触領域１４０と１２８との間の（垂直）オフセットｏｔｏｐは、中央歯７８の接触圧力が低減されるように、側方歯７６が支持歯として作用することを確実にする。
【００８９】
さらに、図１０、図１１及び図１２の横断面図を参照する。断面図の各位置は図９において線Ｘ−Ｘ、ＸＩ−ＸＩ、ＸＩＩ−ＸＩＩで示されている。
【００９０】
図１０を参照して、側方歯７６の形状をより詳細に説明する。すでに上述したように、側方歯７６の取り付け面１０６は、側方ラグ９８、１００の取り付け面１０８と協働して、取り付け状態においてそれらの間に静止ブレード２４を保持する。
【００９１】
側方歯７６は、上面（top  side）１３２、後面（rear  side）１３４、及び前面（front  side）１３６を有する。側方歯７６は、連結バー９４、９６のうちの１つから垂直方向Ｚ及び長手方向Ｘに延びる。上面１３２は、皮膚接触領域１４０を画定する。上面１３２は、後面１３４と前面１３６とを接続する。後面１３４は、静止ブレード２４のためのウィンドウ又は凹部８８の境界を定め、図９を参照されたい。
【００９２】
後面１３４と上面１３２との間の移行部（transition）において、取り付け面１０６が形成される。上面１３２と前面１３６との間の移行部において、先端部１１６が形成される。先端部半径はＲｔｌで示されている。先端部１１６は、図１０の図において凸形である。先端部１１６に隣接して、凹状湾曲部（concave  curvature）１３８が形成される。その結果、側方歯７６の前面１３６は、いくぶんＳ字形である。さらに、後面１３４において、取り付けランプ１１０が形成される。
【００９３】
図１２を参照して、中央歯７８の形状をより詳細に説明する。中央歯７８は、上面１５２、後面１５４、及び前面１５６を有する。中央歯７８は、連結バー９４、９６から垂直方向Ｚ及び長手方向Ｘに延びる。上面１５２は、皮膚接触領域１２８を画定する。上面１５２と後面１５４との間の移行部において、後方先端部１６０が形成される。後面１５４は、ウィンドウ又は凹部８８に面し、図９を参照されたい。図７に示すように、取り付け状態では、後方先端部１６０は、ブレードセット２２の静止ブレード２４のための長手方向リミットストップを形成する。
【００９４】
上面１５２と前面１５６との間の移行部において、先端部１１８が形成される。先端部半径を図１２にＲｔｃで示す。先端部１１８は、図１２の図において凸形である。先端部１１８に隣接して、凹状湾曲部１５８が前面１５６に形成される。全体として、前面１５６は、いくぶんＳ字形である。
【００９５】
図１１では、側方歯の長手方向の延設をｌｔｌで示している。同様に、中央歯の長手方向の延設はｌｔｃで示されている。側方歯７６と中央歯７８との間の長手方向のオフセットは、ｏｌｔで示されている。
【００９６】
組み合わせて、側方歯７６と中央歯７８との間のオフセットｏｔｏｐ及びｏｌｔは、それらの間の（垂直方向Ｚ及び長手方向Ｘにおける）幾分斜めのオフセットを画定する。側方歯７６の先端部１１６の上部及び前部輪郭は、中央歯７８の先端部１１８の上部及び前部輪郭を越えて突出する。
【００９７】
図３〜図１２に示すアタッチメントコーム７０の設計のさらなる利点は、その形状が、追加のスライダ及び／又はさらなる追加の成形部品なしに、比較的単純な成形型で形成され得ることである。前述の態様は有益であるが、この設計は限定的な意味で解釈されてはならない。
【００９８】
ここに提示される設計パラメータは、側方歯と中央歯の不均一性を記述する。より詳細には、上述の実施形態によれば、側方歯は、中央歯より露出されるが、同時に、中央歯より滑らかである。
【００９９】
本開示は、図面及び前述の説明において詳細に図示及び説明されているが、このような図示及び説明は、説明的又は例示的であり、限定的ではなく、本発明は、開示された実施形態に限定されない。開示された実施形態に対する他の変形は、図面、開示、及び添付の特許請求の範囲の研究から、当業者が請求項に記載された発明を実施する際に理解し、実施することができる。
【０１００】
請求項において、語「有する、含む」は、他の要素又はステップを除外せず、不定冠詞「１つの（“ａ”又は“ａｎ”）」は、複数を除外しない。単一の要素又は他のユニットは、請求項に記載されたいくつかのアイテムの機能を満たすことができる。特定の手段が相互に異なる従属請求項に記載されているという単なる事実は、これらの手段の組み合わせが有利に利用できないことを示すものではない。
【０１０１】
請求項中の引用符号は、その範囲を限定するものと解釈してはならない。
【図１】
2020516394.tif 000003
【図２】
2020516394.tif 000004
【図３】
2020516394.tif 000005
【図４】
2020516394.tif 000006
【図５】
2020516394.tif 000007
【図６】
2020516394.tif 000008
【図７】
2020516394.tif 000009
【図８】
2020516394.tif 000010
【図９】
2020516394.tif 000011
【図１０】
2020516394.tif 000012
【図１１】
2020516394.tif 000013
【図１２】
2020516394.tif 000014
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
毛切断装置の切断ヘッドのブレードセットのためのアタッチメントコーム、特に皮膚保護コームであって、前記アタッチメントコームは：
‐  支持フレームと、
‐  一続きに配置されるとともに上面に皮膚接触領域を画定する、複数のコーム歯と、
を有し、
前記歯は、前記支持フレームから延びるとともに前端部に丸い先端部を有し、
前記歯は、前記一続きに沿って不均一であり、丸い側方歯先端部を有する前記一続きのうちの側方端部を画定する２つの外側側方歯と、それらの間に配置された丸い中央歯先端部を有する中央歯と、を有し、
前記側方歯は、前記側方歯を前記一続きの歯の延設方向に垂直な側面から見るときに、前記丸い側方歯先端部の湾曲に対応する側方歯先端部半径を有し、
前記中央歯は、前記中央歯を前記一続きの歯の前記延設方向に垂直な側面から見るときに、前記丸い中央歯先端部の湾曲に対応する中央歯先端部半径を有し、
前記側方歯において、前記中央歯の先端部半径より大きい側方歯先端部半径が存在し、
長手方向において、前記側方歯は前記中央歯を越えて突出し、前記側方歯先端部は前記中央歯先端部に対して前方にオフセットされる、
アタッチメントコーム。
【請求項２】
前記中央歯には、側面視において、前記側方歯先端部半径よりも小さい、均一な中央歯先端部半径が存在する、
請求項１に記載のアタッチメントコーム。
【請求項３】
前記側方歯先端部半径は、１．０ｍｍ〜２．５ｍｍの範囲、好ましくは１．２ｍｍ〜１．８ｍｍの範囲、より好ましくは１．５ｍｍ〜１．８ｍｍの範囲にあり、前記中央歯先端部半径は、０．２５ｍｍ〜０．８ｍｍの範囲、好ましくは０．３５ｍｍ〜０．７ｍｍの範囲にある、
請求項１又は２に記載のアタッチメントコーム。
【請求項４】
垂直方向において、前記側方歯は前記中央歯を越えて前記上面に向かって突出し、前記側方歯先端部は前記中央歯先端部に対して上方にオフセットされる、
請求項１乃至３のいずれか１項に記載のアタッチメントコーム。
【請求項５】
前記側方歯の長手方向の延設は、前記中央歯の長手方向の延設以上であり、前記側方歯の前記長手方向の延設は、好ましくは、前記中央歯の前記長手方向の延設より０．１ｍｍ〜０．３ｍｍ大きく、より好ましくは前記中央歯の前記長手方向の延設より０．１ｍｍ〜１．５ｍｍ大きい、
請求項１乃至４のいずれか１項に記載のアタッチメントコーム。
【請求項６】
前記側方歯の幅は、前記中央歯の幅よりも大きく、前記側方歯の幅と前記中央歯の幅との間の比は、好ましくは、１．０より大きく１．５の間の範囲、より好ましくは１．２５から１．５の間にある、
請求項１乃至５のいずれか１項に記載のアタッチメントコーム。
【請求項７】
歯スロットが前記一続きの歯の間に形成され、前記歯スロットは、１．５ｍｍ以下、好ましくは１．２ｍｍ以下の幅を有する、
請求項１乃至６のいずれか１項に記載のアタッチメントコーム。
【請求項８】
前記歯は、取り付け状態において前記ブレードセットに面する後面と、前記後面と反対側の前面とを有し、前記皮膚接触領域が形成される前記上面は、前記前面と前記後面とを接続し、前記先端部は、前記前面と前記上面との間の移行部に形成され、前記先端部は、凸であり、前記前面において、凹状湾曲部が前記先端部に隣接する、
請求項１乃至７のいずれか１項に記載のアタッチメントコーム。
【請求項９】
前記支持フレームは、対向する側方壁を形成し、側方ラグが、前記ブレードセットの静止ブレードの上側側方端部バーと接触するように、前記側方壁から内方に延び、前記アタッチメントコームの底側において、連結バーが、前記側方壁の間に延び、前記歯は、基本的に、前記連結バーから垂直方向に延びる、
請求項１乃至８のいずれか１項に記載のアタッチメントコーム。
【請求項１０】
前記側方壁及び前記側方歯は、前記アタッチメントコームを前記ブレードセットに解放可能に取り付けるために協働するスナップ式取り付け機構を形成する、
請求項９に記載のアタッチメントコーム。
【請求項１１】
前記アタッチメントコームは、最小化されたオフセット構成で動作可能であり、取り付け状態では、前記アタッチメントコームの前記上面に形成された前記皮膚接触領域は、前記ブレードセットの前記静止ブレードの上面から、好ましくは、０．０ｍｍより大きく０．２ｍｍまでの範囲内のオフセット値だけ、より好ましくは、０．０５ｍｍから０．２ｍｍのオフセット値だけ、上方にオフセットされる、
請求項１乃至１０のいずれか１項に記載のアタッチメントコーム。
【請求項１２】
第１の一続きのコーム歯と、前記第１の一続きのコーム歯とは反対側の第２の一続きのコーム歯とを有し、前記第１の一続きのコーム歯と前記第２の一続きのコーム歯とは、それらの間に前記毛切断装置の前記ブレードセット用の凹部を画定する、
請求項１乃至１１のいずれか１項に記載のアタッチメントコーム。
【請求項１３】
毛切断装置、特に、電動グルーミング装置のための切断ヘッドであって、前記切断ヘッドは：
‐  静止ブレード及び可動ブレードを有するブレードセットであって、前記静止ブレード及び前記可動ブレードは、前記静止ブレード及び前記可動ブレードのそれぞれの歯によって共に画定される少なくとも１つの歯付き前縁部を有し、前記静止ブレード及び前記可動ブレードの前記歯は、基本的に長手方向に延び、前記静止ブレードはさらに、特にその前記歯に、上面を有し、前記上面は、動作しているとき、ユーザの皮膚に面するように配置される、ブレードセットと、
‐  請求項１乃至１２のいずれか１項に記載のアタッチメントコームであって、前記アタッチメントコームは、前記ブレードセットに解放可能に取り付けられる、アタッチメントコームと、
を有する、
切断ヘッド。
【請求項１４】
前記ブレードセットとハウジング部分とを結合する旋回機構をさらに有し、前記アタッチメントコームは、取り付け状態で、前記ハウジング部分に対して前記ブレードセットと共に枢動されるように構成される、
請求項１３に記載の切断ヘッド。
【手続補正２】
【補正対象書類名】明細書
【補正対象項目名】全文
【補正方法】変更
【補正の内容】
【発明の詳細な説明】
【技術分野】
【０００１】
本開示は、毛切断装置（hair  cutting  appliance）の切断ヘッド（cutting  head）のブレードセット用のアタッチメントコーム（attachment  comb）に関する。より詳細には、限定的な意味で解釈されるべきではないが、本開示は、ボディグルーミング装置（body  grooming  appliance）用の皮膚保護コームに関する。いくつかの実施態様において、本開示は、多目的毛切断装置のためのアタッチメントコームの改良に関する。さらに、本開示は、毛切断装置用の、特にボディグルーミング装置用の切断ヘッド、及びアタッチメントコームを備えるように構成された毛切断装置に関する。
【背景技術】
【０００２】
特許文献１は、電動毛切断装置のブレードセット用の静止ブレードを開示し、ブレードは、第１の壁及び第２の壁を含み、各壁は、第１の表面、第１の表面から離れる方を向く第２の表面、及び複数の横方向に離間した長手方向に延びる突起部を画定する横方向に延びる前縁部を画定し、第１の壁部及び第２の壁部の第１の表面は、少なくともそれらの前縁部において互いに向かい合い、向かい合っている間、第１の壁部及び第２の壁部の前縁部に沿った突起部は、それらの先端部において相互に接続されて、複数の略Ｕ字形の歯を画定し、第１の壁部及び第２の壁部の第１の表面は、それらの間のブレードセットの可動ブレード用の横方向に延びるガイドスロットを画定し、第１の壁部の突起部は、第２の壁部の突起部の平均厚さよりも小さい平均厚さを有する。
【０００３】
切断装置は、当該技術分野において知られている。切断装置は、特に、毛切断装置を含むことがある。より一般的な文脈において、本開示は、パーソナルケア装置、特にグルーミング装置を扱う。グルーミング装置は、限定されるものではないが、毛切断装置、特にトリミング装置、シェービング装置、及び複合（二重目的又は多目的）装置を含む。
【０００４】
毛切断装置は、ヒトの毛、ときには動物の毛を切断するために使用される。毛切断装置は、顔の毛を切るために、特にひげ剃り及び／又はひげトリミングのために使用することができる。さらに、切断装置は、頭髪及び体毛を切る（ひげそりやトリミングを含む）ためにも使用される。
【０００５】
トリミングモードでは、毛切断装置は、典型的には、毛切断装置のブレードセットを皮膚から離間させるように配置された、いわゆるスペーシングコーム（spacing  comb）を備える。スペーシングコームの有効（オフセット）長さに応じて、トリミング操作後の残りの毛の長さが規定されることができる。
【０００６】
本開示の文脈における毛切断装置は、典型的には、処理ヘッド（processing  head）と称されることがある切断ヘッドを有する。切断ヘッドには、ブレードセットが設けられ、ブレードセットは、いわゆる静止ブレードといわゆる可動ブレードとを有する。毛切断装置が作動されるとき、可動ブレードは、静止ブレードに対して動かされ、これは、それぞれの切断エッジ（cutting  edges）が互いに協働して毛をカットすることを含み得る。
【０００７】
従って、本開示の文脈では、静止ブレードは、毛切断装置の駆動ユニットが静止ブレードと協働しないような方法で毛切断装置に取り付けられるように構成される。むしろ、駆動ユニットは、典型的には、可動ブレードに結合され、可動ブレードを静止ブレードに対して可動に設定するように構成される。従って、静止ブレードは、いくつかの実施形態では、毛切断装置のハウジングに固定して取り付けることができる。
【０００８】
しかし、代替実施形態では、静止ブレードは、ピボット（枢動）可能（pivotable）な態様で、毛切断装置のハウジングに配置される。これは、例えば、毛切断装置の切断ヘッドの輪郭追従（contour-following）機能を可能にすることができる。従って、本明細書で使用するとき、静止ブレードという用語は、限定的な意味では解釈されないものとする。さらに、言うまでもなく、毛切断装置そのものが移動すると、静止ブレードも移動する。しかし、静止ブレードは、切断作用を引き起こすように能動的に作動されるように配置されていない。むしろ、可動ブレードが、静止ブレードに対して移動するように配置される。
【０００９】
静止ブレードは、ガードブレードとも呼ばれることがある。典型的には、毛切断装置が毛を切るように操作される場合、静止ブレードは、少なくとも部分的に、可動ブレードとユーザの毛又は皮膚との間に配置される。本明細書で使用されるとき、ユーザという用語は、毛が処理又は切られている個人又は対象を指すものとする。言い換えれば、毛切断装置のユーザ及びオペレータは、必ずしも同一人物ではない。ユーザという用語はまた、理容師又は理容店のクライアントを含んでもよい。
【００１０】
いくつかの態様では、本開示は、トリミング動作及びシェービング動作の両方を可能にする毛切断装置に関する。この文脈では、トリミングのために適切に構成された第１のブレードセットと、シェービングのために適切に構成された第２のブレードセットとを含むデュアル切断構成（dual  cutting  arrangement）を組み込んだ毛切断装置が知られている。例えば、シェービングブレードセットは、可動切断要素と協働する孔あき箔（perforated  foil）を含んでもよい。むしろ、トリミングブレードセットは、互いに協働する歯をそれぞれ備える２つのブレードを含んでもよい。原理的には、シェービングブレードセットの静止部分を形成する孔あき箔は、主として強度上の理由から従来の装置ではかなり厚くなければならないトリミングブレードセットの静止ブレードよりもはるかに薄いことがある。
【００１１】
上記の特許文献１は、静止ブレードに２つの壁を設けることを提案し、一方はユーザの皮膚に面し、他方はユーザから離れる方に面している。２つの壁は互いに接続されており、側面視において、可動カッターブレードのガイドスロットを形成するＵ字形の輪郭を画定している。従って、静止ブレードは二重壁ブレードである。これは、第２の壁が静止ブレードに十分な強度を与えるので、第１の壁をかなり薄く構成することができるという利点を有する。従って、このような構成は、それぞれの歯が静止ブレード及び可動ブレードに設けられ得るので、トリミングに適している。さらに、ブレードセットは、静止ブレードの第１の壁の有効厚さがかなり減少されるので、シェービングに適している。
【００１２】
特許文献２は、コームをトリミング装置に固定するように構成されたベースと、トリミング装置の切断エッジから固定距離を提供するように構成された第１の歯と、毛を切断エッジに対して所定の向きに操作するように構成された第２の歯とを有し、第２の歯が第１の歯の間に配置され、第２の歯は第１の歯より近接した間隔で配置される、ヘアトリミング装置用のコームを開示している。
【００１３】
特許文献３は、ヘアクリッパ用のアタッチメントコームであって、ヘアクリッパを解放可能に係合させるように構成され配置されたベース部と、前記ベース部から延びる複数の歯であって、前記歯の各々は、上周縁端と下周縁端との間に画定されたボディ部と、前記ベース部に隣接した近位端と、ベース部の反対端にある遠位端とを含む、複数の歯とを有し、前記ボディ部は、切断前に前記コーム内に毛を保持するための少なくとも１つの構成（formation）を備え、前記複数の歯は、複数の全歯と複数の中間歯とを含み、前記複数の全歯は、一対の外歯を含み、前記全歯、中間歯及び外歯の各々は、別個の形状を有し、前記中間歯の前記ボディ部の前記本体部は、前記全歯と比較して前記ボディ部の減少した容積を有する、ヘアクリッパ用のアタッチメントコームを開示している。
【００１４】
特許文献４は、一連の歯を有するへクリッパ（hair  clippers）用の毛案内アタッチメントを開示している。このアタッチメントの側歯（lateral  teeth）は、この特許文献に対する図面の図２の上面図から見て、異なる幅を有する。
【００１５】
特許文献５は、アームを有するフレームの形態のヘアクリッパクセサリに取り付けられたコームを開示している。コームは一連の歯を有する。このアタッチメントの側歯は、この特許文献の図２及び図３の上面図から見て、異なる幅を有する。
【００１６】
特許文献６は、湾曲した歯を有するヘアクリッパのためのアタッチメントを開示している。このアタッチメントの側歯は、その終端を自分自身の上に曲げているが、他の歯はそうではない。
【００１７】
さらに、例えば、特許文献７に開示されているように、ヒンジ式又はピボット式に取り付けられたブレードセットを利用する毛切断装置が知られている。換言すれば、ブレードセットは、現在処理されている皮膚輪郭と整列するように、毛切断装置のハウジングに対して旋回することができる。これは、特に手の届きにくい領域において、毛切断装置のシェービング能力を著しく増加させることがある。コームが取り付けられたときにブレードセットの旋回又はピボット能力を維持することが望ましい場合、保持力、作動力、及びコームの直接取り付けから生じ得るさらなる影響が考慮されるべきである。
【００１８】
しかし、幾つかの用途については、アタッチメントコームの幾何学的形状及び全体的なデザインにおいて、特に、切断性能、毛持ち上げ挙動、皮膚保護及び操作の容易さの間の有益なトレードオフを満たすために、依然として改善の余地があることが観察されている。より詳細には、コームの歯が特定の要件に対して最適化されるときはいつでも、コームの性能は、他の特定の要件に関しては、かなり悪化する可能性が高いことが観察されている。
【００１９】
さらに、グルーミング装置は、顔毛及び／又は頭髪の切断だけでなく、全身のグルーミング用途にもしばしば使用されている。これは、敏感な皮膚領域における、例えば、わきの下及び／又はさらには陰部におけるようなグルーミング操作を含むことがある。これらの領域では、皮膚は比較的柔らかく、刺激及び／又はさらには損傷を受けやすい。
【００２０】
アタッチメントコームを設計する際には、基本的に相反する設計基準を満たさなければならない。これには、例えば、快適さ、毛持ち上げ性能／毛操作性能、皮膚ドーミング（skin  doming）、操作速度、スムーズな取扱い、操作力、及び皮膚保護が含まれ得る。さらに、脱毛能力及び破片除去能力が重要な要因である可能性がある。
【００２１】
従って、毛切断装置の改善がの必要性が依然としてある。これは、特に、ユーザの快適性に関連する側面、安全に関連する側面、及び性能に関連する側面を含むことがある。
【先行技術文献】
【特許文献】
【００２２】
【特許文献１】国際公開２０１３／１５０４１２Ａ１号
【特許文献２】米国特許出願公開第２０１１／００６１２４３Ａｌ号
【特許文献３】米国特許出願公開第２００８／０００５９０８Ａ１号
【特許文献４】米国特許第２４８１０９７号
【特許文献５】米国特許第２８８２５９５号
【特許文献６】米国特許第１６２８４２１号
【特許文献７】欧州特許出願公開第２８７５９１５Ａ１号
【発明の概要】
【００２３】
本開示の目的は、毛切断操作のために適切に構成され、毛切断装置のブレードセットに取り付けられるとともにこれから取り外すことができるアタッチメントコームを提供することである。より具体的には、皮膚保護コームとして作動可能であり、特にかなり敏感な皮膚領域において、ボディグルーミング処置を容易にするアタッチメントコームを提供することが望ましい。
【００２４】
好ましくは、アタッチメントコームは、快適性、安全性、速度、及び操作努力のような設計基準の間の有益なトレードオフを提供するように設計される。所定のレベルの快適さと安全性を維持しつつ、トリミング／シェービング速度を最適化し、改善された毛髪切断性能を可能にするように設計されたアタッチメントコームを提示することが望ましい。
【００２５】
好ましくは、本開示は、上述したように、既知の毛切断装置及びアタッチメントコームに固有の少なくともいくつかの欠点に対処する。更に好ましくは、アタッチメントコーム、特に全身グルーミング用途のための皮膚保護コームを備えるように構成された、毛切断装置及び毛切断装置のための切断ヘッドを提供する。
【００２６】
本開示のさらなる目的は、性能及び安全性並びに快適性を考慮しつつ、バランスのとれた動作を確実にするアタッチメントコームの歯のための適切なパラメータのセットを提供することである。
【００２７】
本開示の第１の態様において、毛切断装置の切断ヘッドのブレードセットのためのアタッチメントコーム、特に皮膚保護コームを開示し、アタッチメントコームは：
‐  支持フレームと、
‐  一続きに配置され（arranged  in  a  series）るとともに上面に皮膚接触領域を画定する、複数のコーム歯（comb  teeth）と、
を有し、
歯は、支持フレームから延びるとともにその前端部（frontal  ends）に丸い先端部（rounded  tips）を有し、
歯は、一続きに沿って不均一であり、丸い側方歯先端部（rounded  lateral  tooth  tips）を有する一続きの側方端部（lateral  ends）を画定する２つの外側側方歯（outer  lateral  teeth）と、それらの間に配置された丸い中央歯先端部（rounded  central  teeth  tips）を有する中央歯と、を有し、
側方歯は、側方歯を一続きの歯の延設方向（extension  direction）に垂直な側面から見るときに、丸い側方歯先端部の湾曲に対応する側方歯先端部半径Ｒｔｌを有し、
中央歯は、中央歯を一続きの歯の延設方向に垂直な側面から見るときに、丸い中央歯先端部の湾曲に対応する中央歯先端部半径Ｒｔｃを有し、
側方歯において、中央歯の先端部半径Ｒｔｃより大きい側方歯先端部半径Ｒｔｌが存在する。
【００２８】
本開示の別のより一般的な態様では、毛切断装置の切断ヘッドのブレードセット用のアタッチメントコーム、特に、皮膚保護コームが提供され、アタッチメントコームは：
‐  支持フレームと、
‐  一続きに配置され、上側に皮膚接触領域を規定する複数のコーム歯と、
を有し、
歯は、支持フレームから延びるとともにその前端部に丸い先端部を有し、
歯は、一続きに沿って不均一であり、一続きの側方端部を画定する２つの外側側方歯と、その間に配置された中央歯とを有し、
側方歯において、中央歯の先端部半径Ｒｔｃより大きい側方歯先端部半径Ｒｔｌが存在する。
【００２９】
本開示の主な態様は、特に全身グルーミング用途について、不均一な構成の歯を含むアタッチメントコームが提供されるとき、安全性及び性能が改善され得るという洞察である。より詳細には、一続きの歯の側方端部を画定する側方歯と、その間に介在する中央歯とが、異なる形状を有する。したがって、少なくとも２つの異なる歯のタイプが存在する。側方歯の先端部半径が中央歯の先端部半径より著しく大きいとき、著しい改善が達成されることが観察されている。本明細書で使用されるとき、歯の先端部半径は、アタッチメントコームの側面／側方視における外縁として見ることができるが、歯のそれぞれの主伸長方向／面は、側方視平面（side  view  plane）に平行である。
【００３０】
言い換えれば、本発明によるアタッチメントコームにおいて、歯は、一続きに沿って不均一であり、丸い側方歯先端部を有する一続きの側方端部を画定する２つの外側側方歯と、その間に配置された丸い中央歯先端部を有する中央歯とを有する。側方歯は、側方歯を一続きのコーム歯の延設方向に垂直な側面で見るときに、丸い側方歯先端部の湾曲に対応する側方歯先端部半径（Ｒｔｌ）を有する。中央歯は、中央歯を一続きのコーム歯の延設方向に垂直な側面で見るとき、丸い中央歯先端部の湾曲に対応する中央歯先端部半径（Ｒｔｃ）を有する。外方歯先端部半径Ｒｔｌは、中央歯の先端部半径Ｒｔｃよりも大きい。
【００３１】
概して、アタッチメントコームの歯は、アタッチメントコームが装着されているとき、装置のブレードセットの歯の「延長」とみなすことができる。アタッチメントコーム歯は、ブレードセットによって処理される毛を調整する（condition）ことができる。従って、アタッチメントコームは、ブレードセットの切断エッジが調整された毛に到達したときに毛が適切な切断方向になるように、ブレードセットの前で毛を持ち上げるように構成されることができる。
【００３２】
概して、アタッチメントコームは、スペーシング機能、すなわち、それぞれのトリミング長をもたらす皮膚のレベルとブレードセットとの間のオフセットを画定すること、を含み得る。しかし、アタッチメントコームは、シェービング操作のために構成されることもでき、コームの主な目的は、ブレードセットと皮膚のレベルとの間の間隔を提供することではなく、シェービング操作の性能、快適さ及び安全性を改善することである。これは、例えば、陰部及び／又は腋の下における、穏やかで滑らかなボディグルーミング／シェービング用途に有益であり得る。
【００３３】
ヒト／動物の体の上には、例えば、頭皮、顔面、身体四肢、腋の下、陰部領域などに異なるタイプの毛が存在する。従って、切断操作の直前に毛をセットアップするためのシェービング用又は低いレベルのトリミング用途でさえも、アタッチメントコームを提供することが有益であり得る。この方法では、１つの同一のブレードセットが、異なる身体領域、例えば、顔、四肢、胸部及び／又は背部、さらには陰部領域においてさえ、シェービング用途のために作動可能であり得る。
【００３４】
コーム歯に異なる形状の先端部半径を設けることは、操作力／移動力及び皮膚の安全性にプラスの効果をもたらす。これは、特に、側方歯の先端部半径が中央歯の先端部半径よりも大きい場合に当てはまる。
【００３５】
いくつかの点では、側方歯の先端部は、中央歯の先端部から外方にオフセットされる、すなわち、上部及び前部への垂直方向及び長手方向にオフセットされる。従って、アタッチメントコームを備えたブレードセットが皮膚に沿って動かされるとき、処理されることになる皮膚領域は、まず、側方歯の先端部によって、続いて、その間に配置された中央歯の先端部によって接触される。従って、側方歯は、中央歯の先端に対して接触力が低減される効果を有するアタッチメントコームに対する側方サポートを形成する。
【００３６】
その結果、側方歯の先端部よりも小さい先端部半径を有する先端部を備えるにもかかわらず、中央歯は、主サポートが側方歯の先端部によって提供されるので、皮膚に深く浸らない。その結果、皮膚の快適性と安全性を維持しながら、毛の持ち上げ、処理速度、及び必要な操作力を改善することができる。
【００３７】
長手方向において、側方歯は中央歯を越えて突出し、側方歯先端部は中央歯先端部に対して前方にオフセットされる。長手方向のオフセットｏｌｔは、長手方向の０．１ｍｍ〜１．５ｍｍ、好ましくは０．１ｍｍ〜０．３ｍｍの範囲、より好ましくは約０．２ｍｍであり得る。
【００３８】
言い換えると、側方歯の長手方向の延設ｌｔｌは、中央歯の長手方向の延設ｌｔｃ以上であり、側方歯の長手方向の延設ｌｔｌは、好ましくは、中央歯の長手方向の延設ｌｔｃよりも０．１ｍｍ〜１．５ｍｍ、より好ましくは０．１ｍｍ〜０．３ｍｍの間で大きい。
【００３９】
アタッチメントコームの例示的な実施形態では、中央歯には、側面視において、側方歯先端部半径Ｒｔｌよりも小さい、均一な中央歯先端部半径Ｒｔｃが存在する。すなわち、側方歯は、それらの接触面が増加するため、それらがより大きな荷重を受けることができるので、歯を支持するように作用し得る。その結果、中央歯は、いくらかの点で解放され、皮膚に浸透しにくくなることを伴う。
【００４０】
アタッチメントコームのさらなる例示的な実施形態では、側方歯先端部半径Ｒｔｌは、１．０ｍｍ〜２．５ｍｍ（ミリメートル）の範囲、好ましくは１．２ｍｍ〜１．８ｍｍの範囲、より好ましくは少なくとも１．５ｍｍにあり、中央歯先端部半径Ｒｔｃは、０．２５ｍｍ〜０．８ｍｍの範囲、好ましくは０．３５ｍｍ〜０．７ｍｍの範囲にある。上記の値及び範囲は、特に横から見るときにあてはまる。側方歯の先端部をやや鈍く形成し、中央歯の先端部をより尖って形成することにより、全体的な切断性能を改善する。特定の実施態様では、側方歯先端部半径Ｒｔｌは、中央歯先端部半径Ｒｔｃよりもわずかに大きいだけである。
【００４１】
概して、いくつかの実施態様では、側方歯先端部半径Ｒｔｌは、全ての側方歯に対して同一であり、中央歯先端部半径Ｒｔｃは、全ての中央歯に対して同一である。
【００４２】
アタッチメントコームのさらに別の例示的な実施形態では、垂直方向において、側方歯は中央歯を越えて突出する。従って、垂直方向にも、側方歯と中央歯との間にオフセットが存在し得る。
【００４３】
アタッチメントコームのさらなる例示的な実施形態では、垂直方向において、側方歯は中央歯を越えて上面に向かって突出し、側方歯先端部は中央歯先端部に対して上方にオフセットされる。垂直方向の側方歯先端部と中央歯先端部との間のオフセットｏｔｏｐは、０．７ｍｍ〜１．２ｍｍ、好ましくは約０．９ｍｍであり得る。
【００４４】
少なくともいくつかの例示的な実施形態によれば、側方歯の外形は、水平方向及び垂直方向の両方で中央歯の外形からオフセットされている（ずれている）。側方歯は、水平方向と垂直方向の両方で中央歯を越えて突出している。
【００４５】
アタッチメントコームのさらに別の例示的な実施形態では、側方歯の幅ｗｔｌは、中央歯の幅ｗｔｃよりも大きい。いくつかの実施態様において、側方歯の幅ｗｔｌと中央歯の幅ｗｔｃとの間の比は、１．２５から１．５の間である。より一般的には、さらなる実施形態では、側方歯の幅ｗｔｌと中央歯の幅ｗｔｃの間の比は、１．０（特に、１．０より大きい、又は＞１．０）から１．５の間の範囲内にある。従って、特定の実施形態では、側方歯の幅ｗｔｌ及び幅ｗｔｃは、基本的に同一であるか、少なくともかなり類似している。
【００４６】
概して、幅という用語は、中央歯及び側方歯の側方の延設に対応する。換言すれば、歯の幅は、それぞれの厚さに対応する。便宜上、例えば、抜けこう配（draft  angles）のために、幅は、歯の縦方向及び／又は垂直方向の延長にわたって必ずしも一定ではないので、上述の表現は、歯の平均幅を表し得る。
【００４７】
いくつかの実施態様において、一般的な設計ルールに反映される、側方歯及び中央歯の先端部半径の比と幅の比との間の関係が存在する。基本的に、側方歯の先端部半径が中央歯の先端部半径に近づくにつれて、側方歯の幅と中央歯の幅との間の比（差）を増加させることが有益であり得る。逆に、側方歯の幅が中央歯の幅に近づくとき、中央歯先端部半径に対して側方歯先端部半径を増加させることが有益であり得る。
【００４８】
アタッチメントコームのさらに別の例示的な実施形態では、歯スロットが一続きの歯の間に形成され、歯スロットは、１．５ｍｍ以下、好ましくは１．２ｍｍ以下の幅ｗｔｓを有する。歯スロットの均一な幅は、一続きの歯の全てのコーム歯に当てはまり得る、すなわち、側方歯と中央歯との間の外側側方歯スロットの幅も含む。しかし、これは、異なる歯のタイプにおける異なるサイズの歯スロットを実施する代替実施形態を除外しない。概して、歯スロットの幅は、歯間隔とも呼ばれ得る。
【００４９】
アタッチメントコームの別の例示的な構成では、歯は、取り付け状態においてブレードセットに対向する後面と、後面と反対側の前面とを有し、皮膚接触領域が形成される上面は、前面と後面とを接続し、先端部は、前面と上面との間の移行部に形成され、先端部は、凸であり、前面において、凹状湾曲部が先端部に隣接する。上記は、特に側面視に当てはまる。換言すれば、歯の前方外側エッジは、側面図においてＳ字形であり得る。歯の上側は、概して直線状又は平面状であり得る。
【００５０】
アタッチメントコームの別の例示的な実施形態では、支持フレームは、対向する側方壁を形成し、側方方ラグが、ブレードセットの静止ブレードの上側側方端部バーと接触するように、側方壁から内方に延び、アタッチメントコームの底側において、連結バーが、側方壁の間に延び、歯は、基本的に、連結バーから垂直方向に延びる。換言すれば、連結バーは、歯がそこからその上端部まで延びるアタッチメントコームの底端部を形成する。さらに、側方壁の対向する端部をそれぞれ接続する２つの対向する連結バーが存在し得る。従って、この実施形態による２つの連結バーは、長手方向に互いに離間されている。
【００５１】
アタッチメントコームのさらに別の例示的な実施形態では、側方壁及び側方歯は、アタッチメントコームをブレードセットに取り外し可能に取り付けるために協働するスナップ式取り付け機構（snap-on  mounting  features）を形成する。換言すれば、側方壁及び側方歯は、ブレードセットのために、特にその静止ブレードのために、上部当接ゾーン及び底部当接ゾーンを一緒に形成し得る。側方壁及び側方歯のいずれも、ブレードセットの挿入を可能にするために少なくともわずかに撓み可能（deflectable）であり得る。換言すれば、スナップ式取り付け機構のために、アタッチメントコームはブレードセットに嵌合し得る。
【００５２】
上記の例示的な実施形態によれば、アタッチメントコームは、ピボット可能に支持されたブレードセットに取り付けられるように構成され得る。従って、アタッチメントコームを毛切断装置のハウジングに直接取り付ける必要はない。その結果、毛切断装置の輪郭追従機構を維持し得る。これは、毛切断性能をさらに改善し得る。
【００５３】
さらに別の例示的な実施形態では、アタッチメントコームは、最小化されたオフセット構成で動作可能であり、取り付け状態では、アタッチメントコームの上面に形成された皮膚接触領域は、ブレードセットの静止ブレードの上面から上方にオフセットされる。好ましくは、オフセット値ｏｃは、かなり小さく、０．０５ｍｍ〜０．２ｍｍの範囲である。静止ブレード上面とアタッチメントコームの皮膚接触領域との間のわずかなオフセットは、皮膚保護及び全体的な操作の安全性を改善する。上記の実施形態は、アタッチメントコームが動作状態でブレードセットに取り付けられるときに実施され得る。上記は、オフセット値ｏｃが基本的にゼロ（〜０．０ｍｍ）である、すなわち、明確ではない又は僅かなオフセットしか存在しない実施形態を除外しない。従って、より一般的な文脈では、オフセット値ｏｃは、０．０ｍｍ（より具体的には、少なくとも０．０ｍｍよりわずかに大きい、又は＞０．０ｍｍ）から０．４ｍｍの範囲にある。
【００５４】
さらに、アタッチメントコームがスペーシングコームとして配置される場合、オフセット値ｏｃは、はるかに大きくなり得、例えば、１．３ｍｍ、３．０ｍｍ、６．０ｍｍ、９．０ｍｍなど、その結果、トリミング目的のための皮膚とブレードセットとの間のそれぞれのオフセットが生じる。
【００５５】
別の例示的な実施形態では、アタッチメントコームは、第１の一続きのコーム歯と、第１の一続きのコーム歯とは反対側の第２の一続きのコーム歯とを有し、第１の一続きのコーム歯と第２の一続きのコーム歯とは、それらの間に毛切断装置のブレードセット用の凹部を画定する。凹部はまた、ブレードセット用のシート又はウィンドウとも称され得る。アタッチメントコームの取り付け状態では、ブレードセットは凹部に収容される。第１の一続きの歯及び第２の一続きの歯は、凹部内のブレードセットの長手方向の位置を規定し得る。アタッチメントコームの側方壁は、ブレードセットの側方位置を規定し得る。側方壁及び側方歯の取り付け機構は、凹部内のブレードセットの垂直位置を規定し得る。
【００５６】
本開示のさらなる態様では、毛切断装置、特に、電動グルーミング装置のための切断ヘッドが提供され、切断ヘッドは：
‐  静止ブレード及び可動ブレードを有するブレードセットであって、静止ブレード及び可動ブレードは、静止ブレード及び可動ブレードのそれぞれの歯によって共に画定される少なくとも１つの歯付き前縁部を有し、静止ブレード及び可動ブレードの歯は、基本的に長手方向に延び、静止ブレードはさらに、特にその歯に、上面を有し、上面は、動作しているとき、ユーザの皮膚に面するように配置される、ブレードセットと、
‐  本明細書に記載の少なくとも１つの実施形態によるアタッチメントコームであって、アタッチメントコームは、ブレードセットに解放可能に取り付けられる、アタッチメントコームと、
を有する。
【００５７】
例示的な実施形態では、切断ヘッドはさらに、ブレードセットとハウジング部分とを結合する旋回機構を有し、アタッチメントコームは、取り付け状態で、ハウジング部分に対してブレードセットと共に枢動される（pivoted）ように構成される。従って、アタッチメントコームが取り付けられているときでも、切断ヘッドの輪郭追従機能を維持することができる。
【００５８】
本開示のさらに別の態様では、毛切断装置、特にグルーミング装置が提供され、装置は、ハウジングと、ハウジングの上端に配置された切断ヘッドであって、切断ヘッドには、静止ブレード及び可動ブレードを有するブレードセットが設けられる、切断ヘッドと、本明細書に記載される少なくとも１つの実施形態によるアタッチメントコームと、を有し、アタッチメントコームは、ブレードセットに取り外し可能に取り付けられるように構成される。
【００５９】
本開示のさらに別の態様では、毛切断装置、特に電動ボディグルーミング装置が提供され、毛切断装置は、毛を切るために移動方向に毛を通って移動するように構成され、毛切断装置は、ブレードセット、特にピボット可能に取り付けられたブレードセット、及び本開示の少なくともいくつかの態様によるアタッチメントコームを有する。
【００６０】
本開示のさらに別の態様では、特に、歯の設計及び特徴に関して、本開示の少なくとも１つの態様に従って、構成され、異なる長さでシェービング／トリミング操作を可能にするように、ブレードセットと処理されることになる皮膚表面との間に明確に規定された向き及び／又は相対的位置を提供する、アタッチメントコームのセットが提供される。
【図面の簡単な説明】
【００６１】
本開示のこれら及び他の態様は、以下に記載する実施形態から明らかになり、以下に記載する実施形態を参照して説明される。
【００６２】
【図１】本開示によるアタッチメントコームの例示的な実施形態を備え得る例示的な毛切断装置の概略斜視図を示す。
【図２】毛切断装置のための切断ヘッド用ブレードセットの斜視上面図である。
【図３】毛切断装置の切断ヘッド及びこれに取り付けることができるアタッチメントコームの部分斜視上面図を示し、アタッチメントコームは分離状態で示されている。
【図４】アタッチメントコームの取り付け状態における図３の構成の別の図である。
【図５】図３及び図４に示すアタッチメントコームの底面斜視図である。
【図６】図７の線ＶＩ‐ＶＩに沿ったブレードセットに取り付けられた状態におけるアタッチメントコームの断面正面図である。
【図７】図６の構成の上面図である。
【図８】分離したアタッチメントコームの正面図である。
【図９】図８のアタッチメントコームの上面図である。
【図１０】図９の線Ｘ‐Ｘに沿った断面側面図である。
【図１１】図９の線ＸＩ‐ＸＩに沿った断面側面図である。
【図１２】図９の線ＸＩＩ‐ＸＩＩに沿った断面側面図である。
【発明を実施するための形態】
【００６３】
図１は、簡略化された斜視図において、毛切断装置１０、特に電動毛切断装置の例示的実施形態を概略的に示す。毛切断装置１０は、ハウジング、より詳細には、ハウジング部分１２、ハウジング部分１２内の破線ブロック１４によって示されるモータ、ハウジング部分１２内の破線ブロック１６によって示される駆動機構又はドライブトレーンを有し得る。モータ１４に電力を供給するために、少なくとも毛切断装置１０のいくつかの実施形態では、ハウジング部分１２の破線ブロック１８によって示される、例えば、再充電可能バッテリ、交換可能バッテリ等のような電気バッテリを設けることができる。しかし、いくつかの実施形態では、切断装置１０は、電源を接続するための電力ケーブルをさらに備えることができる。電源コネクタは、（内部の）電気バッテリ１８に加えて、又はその代わりに設けることができる。
【００６４】
毛切断装置１０は、切断ヘッド２０をさらに有し得る。切断ヘッド２０において、ブレードセット２２が毛切断装置１０に取り付けられ得る。ブレードセット２２は、切断動作を可能にするために、駆動機構又はドライブトレーン１６を介してモータ１４によって駆動され得る。図２は、図１に示す毛切断装置１０に組み込むことができるブレードセット２２の斜視上面図を示す。切断動作は、概して、静止ブレードと可動ブレード（カッターブレード）との間の相対動作とみなすことができ、これについては、以下にさらに説明し、論じられる。したがって、静止ブレード（ガードブレード）及び可動ブレード（カッターブレード）という用語は、限定的な意味で解釈してはならない。
【００６５】
一般に、ユーザは、毛を切るために、切断装置１０を把持し、保持し、移動方向３０に毛を通って手動で案内し得る。切断装置１０は、手動案内又は手動操作の電気駆動装置と見なすことができる。さらに、切断ヘッド２０、より詳細には、ブレードセット２２は、図１の符号２８で示す湾曲した二重矢印を参照してピボット可能な方法で切断装置１０のハウジング部分１２に接続されることができる。用途によっては、切断装置１０を皮膚に沿って動かして、皮膚で成長する毛を切ることができる。皮膚に近いところで毛を切る場合には、基本的には皮膚のレベル（高さ）で毛を切る又は切り刻んだりすることを目的として、シェービング操作を行うことができる。しかし、クリッピング（又はトリミング）操作も想定され得、ブレードセット２２を有する切断ヘッド２０が、皮膚に対して所望の距離で経路に沿って通される。
【００６６】
毛を通して案内されるとき、ブレードセット２２を含む切断装置１０は、典型的には、図１の参照番号３０によって示される普通の移動方向に沿って移動される。この関連では、毛切断装置１０が典型的には手動で案内され、移動されることを考えると、移動方向３０は、必ずしも、毛切断装置１０とその切断ヘッド２０の向きに関して固定された定義と関係を有する正確な幾何学的基準として解釈される必要はないことを指摘する価値がある。即ち、皮膚における切断されることになる毛に対する毛切断装置１０の全体的な向きは、いくぶん不安定であると解釈することができる。しかし、例示的な目的のために、（想像上の）移動方向３０は、毛切断装置１０の構造的特徴を記述する手段として、以下で機能し得る座標系の主中心平面に対して平行（又は略平行）であると、かなり仮定することができる。Ｘ軸とＹ軸は水平面を定義する。
【００６７】
本明細書に示されるいくつかの図において、例示的な座標系は、説明目的のために示される。本明細書で使用されるとき、Ｘ軸は、長手方向に割り当てられる。さらに、Ｙ軸が横方向に割り当てられる。従って、Ｚ軸は、垂直方向（高さ方向）に割り当てられる。図示された構成要素のそれぞれの特徴及び伸長部分との軸／方向Ｘ、Ｙ、Ｚのそれぞれの関連は、これらの図から導くことができる。Ｘ軸とＹ軸は、水平面を共に定義する。座標系Ｘ、Ｙ、Ｚは、主として説明目的のために提供されるものであり、本開示の範囲を限定することを意図するものではないことを理解されたい。これは、当業者が、さらなる実施形態、図示及び表示方向のずれに直面したときに、座標系を容易に変える及び変換することができることを含む。また、デカルト座標系の極座標系への変換が、特に円形又は湾曲したブレードセットの文脈において、想定され得る。
【００６８】
図２により詳細に示すブレードセット２２は、静止ブレード２４と、往復運動で静止ブレード２４に対して動くことができる可動ブレード２６とを有する。静止ブレード２４及び可動ブレード２６は、少なくとも１つの歯付き前縁部３２、３４、好ましくは第１の歯付き前縁部３２及び第２の歯付き前縁部３４を共に画定し得る。第１の歯付き前縁部３２と第２の歯付き前縁部３４は、平行な方法で、互いに向き合って配置されている。可動ブレード２６は、破線表示で図２に示されている。可動ブレード２６は、駆動軸５０によって往復式に駆動されることができる。従って、可動ブレード２６及び静止ブレード２４は、互いに対して往復運動することができ、従って、毛切断装置１０が移動方向３０に毛を通して移動するとき、静止ブレード２４の歯３８と可動ブレード２６の歯４０との間に入る毛を、それぞれの前縁部３２、３４において切断するように協働することができる。駆動軸５０には、駆動ピン６０が中心からずれた形で形成されている。従って、駆動軸５０が回転するとき、駆動ピン６０は、駆動軸周りに回転し、駆動ブリッジ６８によって可動ブレード２６に結合されたエントレーナユニット（entrainer  unit）６６を作動させる（図６に示す）。
【００６９】
図２では、装置１０が動作しているときにユーザの皮膚に面している静止ブレード２４の上面を３６で示す。いくつかの実施態様において、上面３６は、Ｘ軸及びＹ軸によって画定される水平面に平行である。
【００７０】
静止ブレード２４は、可動ブレード２６のためのガードとして配置され得る。静止ブレード２４は、可動ブレード２６のためのガイドスロットがその間に画定されるように、少なくとも部分的に互いに離間された第１の壁部分と第２の壁部分とを有することが特に好ましく、図６のブレードセット２２の断面図も参照することができる。その結果、静止ブレード２４は、少なくとも１つの歯付き前縁部３２、３４において可動ブレード２６を覆うこともできる。
【００７１】
すでに上述したように、ブレードセット２２は、シェービング及びトリミング動作に特に適している。ブレードセット２２が実際の皮膚輪郭に追従することができる場合、シェービング性能及びトリミング性能はさらに改善され得る。従って、ブレードセット２２は、ピボット可能な方法で、毛切断装置１０のハウジング部分１２に取り付け可能であることが特に好ましい。旋回（スイベル）機構（swiveling  mechanism）が、参照番号４２によって図２に示されている。ブレードセット２２は、旋回機構４２に取り付けられている。旋回機構４２は、ブレードセット２２とハウジング部分１２との間に介在する切断ヘッド２０の一部を形成することができる。旋回機構４２は、図１及び図２の湾曲した二重矢印２８を参照して、ブレードセット２２のためのピボット、又はむしろ仮想ピボットを画定することができる。
【００７２】
ハウジング部分１２に対するブレードセット２２の最大旋回角を画定するために、旋回機構４２は、接触面４６と協働して旋回運動の許容範囲を画定することができるリミットストップ（limit  stop）４４を有し得る。例として、旋回機構４２は、４バーリンク機構として構成され得る。この実施形態では、旋回機構４２は、ハウジング部分１２に取り付けられ得るベースリンク５２を有する。第１の側部リンク５４及び第２の側部リンク５６は、ベースリンク５２に結合され得る。上端において、旋回機構４２は、第１の側部リンク５４と第２の側部リンク５６とを接続する上部リンク５８を有し得る。それぞれのリンク５２、５４、５６、５８の間には、隣接するリンクの間の相対的な回転、したがって、全体の旋回運動を可能にするヒンジ、特にリビングヒンジ（living  hinges）が設けられ得る。
【００７３】
一般に、少なくとも一部の実施形態では、切断ヘッド２０は、交換可能な及び／又は取り外し可能な切断ヘッドとみなすことができる。この目的のために、切断ヘッド２０は、毛切断装置１０のハウジング部分１２においてそれぞれの受けインターフェースに係合するように構成された取り付けインターフェース４８を有し得る。特に、切断ヘッド２０は、プラグイン切断ヘッド２０として構成され得る。すでに上述したように、ブレードセット２２、特にその可動ブレード２６は、駆動軸５０に結合され得る。駆動軸５０は、駆動軸５０の長手方向軸の周りに回転することができる偏心部分（ピン６０）を有し得る。従って、可動ブレード２６を静止ブレード２４に対して往復動する方法で駆動するための偏心駆動機構１６が設けられ得る。
【００７４】
ブレードセット２２の側方（横方向）端部には、いわゆるサイドプロテクタ、即ち側方端部バー６２、６４が形成されている。図２に示す例示的な実施形態では、側方端部バー６２、６４は静止ブレード２４に成形される。
【００７５】
図２に例示的に示すように旋回機構４２に取り付けられるか又は旋回機構の別の例示的実施形態に取り付けられると、切断ヘッド２０は、シェービング動作に特に適している。しかし、毛切断装置１０は、ヘアトリミング操作にも適していることがさらに好ましい。毛トリミングは、所望の長さで毛を切断することを含み得る。毛の所望の残りの長さは、いわゆるアタッチメントコームによって規定され得る。アタッチメントコームを毛切断装置１０に取り付けるとき、ブレードセット２２は好ましくはハウジング部分１２に旋回自在に取り付けられると考える必要がある。本明細書で論じられる少なくともいくつかの実施形態では、アタッチメントコームがブレードセット２２に取り付けられるときに、輪郭追従機能がコームモードでも提供されることが好ましい。
【００７６】
以下では、ブレードセット２２用アタッチメントコームの例示的な実施形態が明らかにされ、より詳細に説明される。言うまでもなく、各実施形態に関連して開示された単一の特徴は、分離された態様で、他の実施形態のいずれかと組み合わせてもよく、それによって、本開示の範囲に依然として含まれるさらなる実施形態を形成する。一般に、アタッチメントコームは、皮膚保護コームと称され得る。いくつかの実施態様において、アタッチメントコームは、スペーシング（spacing）アタッチメントコームとして構成される。しかし、いくつかの実施形態では、アタッチメントコームは、ブレードセットを皮膚から離間させない又はブレードセットをわずかにしか離間させない。この例示的な構成では、アタッチメントコームの主要な目的は、毛コンディショニング／持ち上げ及び皮膚保護である。
【００７７】
図３には、図１及び図２に関連して既に説明したように、毛切断装置１０の切断ヘッド２０から切り離された状態のアタッチメントコーム７０が示されている。コーム７０は、皮膚保護コームとも呼ばれ得る。
【００７８】
コーム７０は、以下により詳細に説明するように、ブレードセット２２に解放可能に取り付けられるように構成される。コーム７０は、コーム歯７４がそこから延びる支持フレーム７２を有する。コームの取り付け状態では、コーム歯７４は静止ブレード２４の歯３８に平行に向けられる。コーム歯の不均一な構成を有することが好ましい。つまり、異なる形状のコーム歯７４が設けられ得る。コーム歯７４は、側方歯７６（外歯）及び中央歯７８を含む。図３に示される例示的な実施形態では、コーム７０のそれぞれの外側端部において、側方歯７６が設けられる。側方歯７６の間には、中央歯７８が形成される。全体として、側方歯７６及び中央歯７８は、少なくとも１つの一続きの歯８２、８４を形成する。図３の例示的な実施形態では、互いに反対側にある第１の一続き（series）８２及び第２の一続き８４が設けられる。第１の一続き８２と第２の一続き８４は、ブレードセット２２のためのウィンドウ又は凹部８８をそれらの間に画定する。
【００７９】
コーム７０の支持フレーム７２は、第１の側方壁９０及び第２の側方壁９２を有する。連結バー９４が、第１の一続き８２の側部において、側方壁９０と側方壁９２とを接続する。連結バー９６が、第２の一続き８４の側部において、側方壁９０と側方壁９２とを接続する。
【００８０】
側方壁９０、９２は、支持フレーム７２の側方端部を画定する。連結バー９４、９６は支持フレーム７２の長手方向端部を画定する。側方壁９０、９２及び連結バー９４、９６は合わせて、コーム７０の四面フレームを画定する。連結バー９４、９６は、コーム７０の底端に配置されている。コーム７０の上方端部において、側方ラグ９８、１００が、側方壁９０、９２から延びる。側方ラグ９８、１００は、内側に延び、互いに対向する。
【００８１】
図４及び図５の斜視図をさらに参照する。図４の視点方向は、図３の視点方向と同様であるが、図４では、コーム７０が取り付け状態で示されている。図５では、コーム７０の斜視底面図が提供される。図４に示すように、取り付け状態では、側方ラグ９８、１００は、ブレードセット２２の側方端部において側方端部バー６２、６４をカバーし、保持する。
【００８２】
さらに、図５に見ることができるように、側方壁９０、９２には、取り付け状態においてブレードセット２２の側方位置（Ｙ位置）を規定する、内側ガイドリブ１０４が形成される。図５の例示的な構成では、ガイドリブ１０４は、生産／成形の理由のために垂直方向に延びる。
【００８３】
側方歯７６には、ブレードセット２２の静止ブレード２４のための取り付け面１０６が、その後方上部側に形成され、図３及び図５を参照されたい。側方ラグ９８、１００において、取り付け面１０８が、側方歯７６における取り付け面１０６に対向して形成され、図５を参照されたい。取り付け面１０６、１０８は、それらの間でブレードセット２２の静止ブレード２４を保持し、固定するように協働する。従って、側方歯７６と側方ラグ９８、１００は、ブレードセット２２におけるコーム７０の取り付けのためのスナップ式取り付け／ロック機構を一緒に形成する。図３乃至図５の例示的な実施形態では、静止ブレード２４が側方歯７６の後方側で取り付けランプ１１０を通過できるように、側方歯７６は撓み可能（deflectable）であり、図６も参照されたい。従って、アタッチメントコーム７０は、取り付けが容易であり且つ取り外しが容易である。
【００８４】
側方歯７６において、先端部１１６が形成される。中央歯７８において、先端部１１８が形成される。歯７６、７８の先端部１１６、１１８は、コーム７０が皮膚に沿って、毛を切断するのに適した向きで移動方向に移動するときに、皮膚係合ゾーンを形成する。歯７６、７８の間には、歯スロット（溝）１２０が存在する。
【００８５】
さらに、図６〜図１２を参照すると、図６及び図７は、取り付けられた状態でのコーム７０を示し、図８、９、１０、１１及び１２のいずれかは、分離された状態でのコーム７０を示す。
【００８６】
図８を参照すると、側方歯７６の幅がｗｔｌで示されている。中央歯７８の幅はｗｔｃで示されている。さらに、歯スロット１２０の幅が、ｗｔｓで示されている。組み立てられた状態では、側方ラグ９８、１００は、ブレードセット２２のための垂直リミットストップを画定する。より具体的には、ブレードセット２２の静止ブレード２４は、本明細書中で前述したように、側方ラグ９８、１００及び側方歯７６における取り付け面１０６、１０８の間で（Ｚ位置に）ロックされる。
【００８７】
図６では、取り付け状態のコーム７０の上面が１２４で示されている。上面１２４において、コーム７０は皮膚に面し、皮膚と接触する。特定の例示的な実施形態では、中央歯７８は、静止ブレード２４の上面３６をわずかに越えて垂直方向Ｚに突出する。上面３６と上面１２４は必ずしも一致しない。それぞれのオフセットが図６にｏｃで示されている。静止ブレード２４の上面３６からのオフセットｏｃは、コンポジット７０がブレードセット２２に取り付けられているときに、必ずしも上面３６でない主にコーム７０の上面１２４が皮膚に接触することを確実にする。上面１２４と反対側のコーム７０の底面が、図８において１２６によって示されている。さらに、図８では、中央歯７８の皮膚接触領域が１２８によって示されている。側方歯７６の皮膚接触領域は、１４０によって示されている。
【００８８】
図６及び図８に示すように、側方歯７６は、中央歯７８を越えて垂直方向Ｚに突出している。各オフセットは、図６及び図８において、ｏｔｏｐによって示されている。皮膚接触領域１４０と１２８との間の（垂直）オフセットｏｔｏｐは、中央歯７８の接触圧力が低減されるように、側方歯７６が支持歯として作用することを確実にする。
【００８９】
さらに、図１０、図１１及び図１２の横断面図を参照する。断面図の各位置は図９において線Ｘ−Ｘ、ＸＩ−ＸＩ、ＸＩＩ−ＸＩＩで示されている。
【００９０】
図１０を参照して、側方歯７６の形状をより詳細に説明する。すでに上述したように、側方歯７６の取り付け面１０６は、側方ラグ９８、１００の取り付け面１０８と協働して、取り付け状態においてそれらの間に静止ブレード２４を保持する。
【００９１】
側方歯７６は、上面（top  side）１３２、後面（rear  side）１３４、及び前面（front  side）１３６を有する。側方歯７６は、連結バー９４、９６のうちの１つから垂直方向Ｚ及び長手方向Ｘに延びる。上面１３２は、皮膚接触領域１４０を画定する。上面１３２は、後面１３４と前面１３６とを接続する。後面１３４は、静止ブレード２４のためのウィンドウ又は凹部８８の境界を定め、図９を参照されたい。
【００９２】
後面１３４と上面１３２との間の移行部（transition）において、取り付け面１０６が形成される。上面１３２と前面１３６との間の移行部において、先端部１１６が形成される。先端部半径はＲｔｌで示されている。先端部１１６は、図１０の図において凸形である。先端部１１６に隣接して、凹状湾曲部（concave  curvature）１３８が形成される。その結果、側方歯７６の前面１３６は、いくぶんＳ字形である。さらに、後面１３４において、取り付けランプ１１０が形成される。
【００９３】
図１２を参照して、中央歯７８の形状をより詳細に説明する。中央歯７８は、上面１５２、後面１５４、及び前面１５６を有する。中央歯７８は、連結バー９４、９６から垂直方向Ｚ及び長手方向Ｘに延びる。上面１５２は、皮膚接触領域１２８を画定する。上面１５２と後面１５４との間の移行部において、後方先端部１６０が形成される。後面１５４は、ウィンドウ又は凹部８８に面し、図９を参照されたい。図７に示すように、取り付け状態では、後方先端部１６０は、ブレードセット２２の静止ブレード２４のための長手方向リミットストップを形成する。
【００９４】
上面１５２と前面１５６との間の移行部において、先端部１１８が形成される。先端部半径を図１２にＲｔｃで示す。先端部１１８は、図１２の図において凸形である。先端部１１８に隣接して、凹状湾曲部１５８が前面１５６に形成される。全体として、前面１５６は、いくぶんＳ字形である。
【００９５】
図１１では、側方歯の長手方向の延設をｌｔｌで示している。同様に、中央歯の長手方向の延設はｌｔｃで示されている。側方歯７６と中央歯７８との間の長手方向のオフセットは、ｏｌｔで示されている。
【００９６】
組み合わせて、側方歯７６と中央歯７８との間のオフセットｏｔｏｐ及びｏｌｔは、それらの間の（垂直方向Ｚ及び長手方向Ｘにおける）幾分斜めのオフセットを画定する。側方歯７６の先端部１１６の上部及び前部輪郭は、中央歯７８の先端部１１８の上部及び前部輪郭を越えて突出する。
【００９７】
図３〜図１２に示すアタッチメントコーム７０の設計のさらなる利点は、その形状が、追加のスライダ及び／又はさらなる追加の成形部品なしに、比較的単純な成形型で形成され得ることである。前述の態様は有益であるが、この設計は限定的な意味で解釈されてはならない。
【００９８】
ここに提示される設計パラメータは、側方歯と中央歯の不均一性を記述する。より詳細には、上述の実施形態によれば、側方歯は、中央歯より露出されるが、同時に、中央歯より滑らかである。
【００９９】
本開示は、図面及び前述の説明において詳細に図示及び説明されているが、このような図示及び説明は、説明的又は例示的であり、限定的ではなく、本発明は、開示された実施形態に限定されない。開示された実施形態に対する他の変形は、図面、開示、及び添付の特許請求の範囲の研究から、当業者が請求項に記載された発明を実施する際に理解し、実施することができる。
【０１００】
請求項において、語「有する、含む」は、他の要素又はステップを除外せず、不定冠詞「１つの（“ａ”又は“ａｎ”）」は、複数を除外しない。単一の要素又は他のユニットは、請求項に記載されたいくつかのアイテムの機能を満たすことができる。特定の手段が相互に異なる従属請求項に記載されているという単なる事実は、これらの手段の組み合わせが有利に利用できないことを示すものではない。
【０１０１】
請求項中の引用符号は、その範囲を限定するものと解釈してはならない。
【手続補正３】
【補正対象書類名】図面
【補正対象項目名】図１２
【補正方法】変更
【補正の内容】
【図１２】
2020516394.tif 000015
【国際調査報告】
2020516394.tif 000016
2020516394.tif 000017
2020516394.tif 000018